(57)【特許請求の範囲】
【請求項１】
アクセスポイント（ＡＰ）基地局における低電力モードの配備を容易にするための方法において、
少なくとも一つの定義されたカバレージエリア内にアクセス端末（ＡＴ）が存在するかどうか判定することと、
前記少なくとも一つのカバレージエリア内にＡＴが存在しないことに応答して、前記低電力モードに入ることと、
前記低電力モードである場合に、前記ＡＰ基地局が同期チャネル、パイロット信号及びブロードキャスト・チャネルの上で送信する送信電力を、時間の関数として変化させることを含み、
ここで、送信電力レベルは、新しい諸ＡＴが前記ＡＰ基地局を検出できるように及び関連する諸ＡＴのアウェイク期間の間のアラインメントを確実にできるように、適切な周波数で公称レベルに維持される、
方法。
【請求項２】
前記少なくとも一つのカバレージエリア内にＡＴが存在するかどうか判定することは、前記ＡＰ基地局のフェムト・カバレージエリア内に少なくとも一つのＡＴが存在するかどうか判定することを含む請求項１の方法。
【請求項３】
前記少なくとも一つのカバレージエリア内にＡＴが存在するかどうか判定することは、マクロ・ネットワークにより判定された少なくとも一つのＡＴに関するモビリティ・データを受信することを含む請求項１の方法。
【請求項４】
前記少なくとも一つのカバレージエリア内にＡＴが存在するかどうか判定することは、マクロ・ネットワークのマクロ基地局のマクロ・カバレージエリア内に少なくとも一つのＡＴが存在するかどうかに関する情報を受信することを含む請求項１の方法。
【請求項５】
前記少なくとも一つのカバレージエリア内にＡＴが存在するかどうか判定することは、マクロ・ネットワークから送信されたウェイクアップ信号を受信することを含む請求項１の方法。
【請求項６】
前記少なくとも一つのＡＴによりレポートされるサービング・セル及び隣接セルのうちの少なくとも一つの識別情報に基づいて前記ウェイクアップ信号を受信することを更に含む請求項５の方法。
【請求項７】
前記マクロ・ネットワークにより判定された前記少なくとも一つのＡＴに関するモビリティ・データに基づいて前記ウェイクアップ信号を受信することを更に含む請求項５の方法。
【請求項８】
前記ウェイクアップ信号の受信に応答して前記低電力モードでオペレートするのを中止することを更に含む請求項５の方法。
【請求項９】
前記ウェイクアップ信号の受信に応答して前記送信電力を修正することを更に含む請求項５の方法。
【請求項１０】
前記修正することは、前記送信電力を増加させることを含む請求項９の方法。
【請求項１１】
前記少なくとも一つのカバレージエリア内に少なくとも一つのＡＴが存在することに応答して、前記少なくとも一つのＡＴの各々がアイドル状態にあるかどうか判定することと、
前記少なくとも一つのＡＴの各々がアイドル状態にあることに応答して、第２の低電力モードに入ることを更に含む請求項１の方法。
【請求項１２】
前記少なくとも一つのＡＴのうちの所定の一つがアウェイク状態にあることに応答して、通常モードでオペレートすることを更に含む請求項１１の方法。
【請求項１３】
前記少なくとも一つのカバレージエリア内にＡＴが存在するかどうか判定することは、マクロ・ネットワークの複数のマクロ基地局からの少なくとも一つのＡＴに関する情報をアグリゲートすることを含む請求項１の方法。
【請求項１４】
アクセスポイント（ＡＰ）基地局における低電力モードの配備を容易にするための方法において、
少なくとも一つの定義されたカバレージエリア中の少なくとも一つのアクセス端末（ＡＴ）の各々が、アイドル状態にあるかどうか判定することと、
前記少なくとも一つのＡＴの各々が前記アイドル状態にあることに応答して、前記低電力モードに入ることと、
前記低電力モードである場合に、前記ＡＰ基地局が同期チャネル、パイロット信号及びブロードキャスト・チャネルの上で送信する送信電力を、時間の関数として変化させることを含み、ここで、送信電力レベルは、新しい諸ＡＴが前記ＡＰ基地局を検出できるように及び関連する諸ＡＴのアウェイク期間の間のアラインメントを確実にできるように、適切な周波数で公称レベルに維持される、方法。
【請求項１５】
前記少なくとも一つのＡＴのうちの所定の一つがアウェイク状態にあることに応答して、通常モードでオペレートすることを更に含む請求項１４の方法。
【請求項１６】
無線通信デバイスにおいて、
マクロ・ネットワークとの有効な通信における通信バックホールのためのバックホール・インタフェースと、
（ａ）少なくとも一つのアクセス端末（ＡＴ）、（ｂ）前記バックホールを介した前記マクロ・ネットワーク、及び（ｃ）前記マクロ・ネットワークとの有効な通信における少なくとも一つの基地局のうちの少なくとも一つと通信するためのトランシーバ・モジュールと、
前記バックホール・インタフェース及び前記トランシーバ・モジュールと有効に接続された少なくとも一つのプロセッサと、
前記少なくとも一つのプロセッサに有効に接続され、前記少なくとも１つのプロセッサが、少なくとも一つの定義されたカバレージエリア内にＡＴが存在するかどうか判定し、前記少なくとも一つのカバレージエリア内にＡＴが存在しないことに応答して、前記無線通信デバイスを低電力モードに設定し、そして、前記無線通信デバイスが前記低電力モードにあるとき、前記トランシーバ・モジュールが同期チャネル、パイロット信号及びブロードキャスト・チャネルの上で送信する送信電力を時間の関数として変化させるように前記トランシーバ・モジュールに指示するための実行可能なコードを含むメモリ・モジュールとを含み、
ここで、送信電力レベルは、新しい諸ＡＴが前記無線通信デバイスを検出できるように及び関連する諸ＡＴのアウェイク期間の間のアラインメントを確実にできるように、適切な周波数で公称レベルに維持されるものである、
無線通信デバイス。
【請求項１７】
前記少なくとも一つのカバレージエリアは、ＡＰ基地局のフェムト・カバレージエリアを含む請求項１６の無線通信デバイス。
【請求項１８】
前記少なくとも一つのプロセッサは、前記マクロ・ネットワークにより判定される前記少なくとも一つのＡＴに関するモビリティ・データを受信することによって、前記少なくとも一つのカバレージエリア内にＡＴが存在するかどうかについて判定する請求項１６の無線通信デバイス。
【請求項１９】
前記少なくとも一つのカバレージエリアは、前記マクロ・ネットワークのマクロ基地局のマクロ・カバレージエリアを含む請求項１６の無線通信デバイス。
【請求項２０】
前記トランシーバ・モジュールは、前記マクロ・ネットワークから送信されるウェイクアップ信号を受信する請求項１９の無線通信デバイス。
【請求項２１】
前記ウェイクアップ信号は、前記少なくとも一つのＡＴによりレポートされるサービング・セル及び隣接セルのうちの少なくとも一つの識別情報に基づくものである請求項２０の無線通信デバイス。
【請求項２２】
前記ウェイクアップ信号は、前記マクロ・ネットワークにより判定された前記少なくとも一つのＡＴに関するモビリティ・データに基づくものである請求項２０の無線通信デバイス。
【請求項２３】
前記無線通信デバイスは、前記ウェイクアップ信号の受信に応答して前記低電力モードでオペレートするのを中止する請求項２０の無線通信デバイス。
【請求項２４】
前記少なくとも一つのプロセッサは、前記トランシーバ・モジュールに、前記ウェイクアップ信号の受信に応答して前記送信電力を修正するように指示する請求項２０の無線通信デバイス。
【請求項２５】
前記トランシーバ・モジュールは、前記送信電力を増加させる請求項２４の無線通信デバイス。
【請求項２６】
前記少なくとも一つの基地局は、マクロ基地局及び近隣のＡＰ基地局のうちの少なくとも一つを含む請求項１６の無線通信デバイス。
【請求項２７】
前記少なくとも一つのプロセッサは、
前記少なくとも一つのカバレージエリア内に前記少なくとも一つのＡＴが存在することに応じて、前記少なくとも一つのＡＴの各々がアイドル状態にあるかどうか判定し、そして、
前記少なくとも一つのＡＴの各々が前記アイドル状態にあることに応答して、前記無線通信デバイスを第２の低電力モードに設定する請求項１６の無線通信デバイス。
【請求項２８】
前記少なくとも一つのプロセッサは、前記少なくとも一つのＡＴのうちの所定の一つがアウェイク状態にあることに応答して、前記無線通信デバイスを通常モードに設定する請求項２７の無線通信デバイス。
【請求項２９】
前記少なくとも一つのプロセッサは、前記マクロ・ネットワークの複数のマクロ基地局からの前記少なくとも１つのＡＴに関する情報をアグリゲートすることによって、前記少なくとも一つのカバレージエリア内にＡＴが存在するかどうかについて判定する請求項１６の無線通信デバイス。
【請求項３０】
無線通信デバイスにおいて、
マクロ・ネットワークとの有効な通信における通信バックホールのためのバックホール・インタフェースと、
（ａ）少なくとも一つのアクセス端末（ＡＴ）、（ｂ）前記バックホールを介した前記マクロ・ネットワーク、及び（ｃ）前記マクロ・ネットワークとの有効な通信における少なくとも一つの基地局のうちの少なくとも一つと通信するためのトランシーバ・モジュールと、
前記バックホール・インタフェース及び前記トランシーバ・モジュールと有効に接続された少なくとも一つのプロセッサと、
前記少なくとも一つのプロセッサに有効に接続され、前記少なくとも１つのプロセッサが、少なくとも一つの定義されたカバレージエリアにおける少なくとも一つのＡＴの各々が、アイドル状態であるかどうか判定し、前記少なくとも一つのＡＴの各々がアイドル状態にあることに応答して、前記無線通信デバイスを低電力モードに設定し、そして、前記無線通信デバイスが前記低電力モードにあるとき、前記トランシーバ・モジュールが同期チャネル、パイロット信号及びブロードキャスト・チャネルの上で送信する送信電力を時間の関数として変化させるように前記トランシーバ・モジュールに指示するための実行可能なコードを含むメモリ・モジュールとを含み、
ここで、送信電力レベルは、新しい諸ＡＴが前記無線通信デバイスを検出できるように及び関連する諸ＡＴのアウェイク期間の間のアラインメントを確実にできるように、適切な周波数で公称レベルに維持されるものである、
無線通信デバイス。
【請求項３１】
前記少なくとも一つのプロセッサは、前記少なくとも一つのＡＴのうちの所定の一つがアウェイク状態にあることに応答して、前記無線通信デバイスを通常モードに設定する請求項３０の無線通信デバイス。
【請求項３２】
無線通信装置において、
少なくとも一つの定義されたカバレージエリア内にアクセス端末（ＡＴ）が存在するかどうか判定するための手段と、
前記少なくとも一つのカバレージエリア内にＡＴが存在しないことに応答して、低電力モードに入るための手段と、
前記低電力モードである場合に、前記無線通信装置が同期チャネル、パイロット信号及びブロードキャスト・チャネルの上で送信する送信電力を、時間の関数として変化させるための手段とを含み、
ここで、送信電力レベルは、新しい諸ＡＴが前記無線通信装置を検出できるように及び関連する諸ＡＴのアウェイク期間の間のアラインメントを確実にできるように、適切な周波数で公称レベルに維持されるものである、
無線通信装置。
【請求項３３】
前記少なくとも一つのカバレージエリアは、ＡＰ基地局のフェムト・カバレージエリアを含む請求項３２の無線通信装置。
【請求項３４】
無線通信装置において、
少なくとも一つの定義されたカバレージエリア中の少なくとも一つのアクセス端末（ＡＴ）の各々が、アイドル状態にあるかどうか判定するための手段と、
前記少なくとも一つのＡＴの各々が前記アイドル状態にあることに応答して、低電力モードに入るための手段と、
前記低電力モードである場合に、前記無線通信装置が同期チャネル、パイロット信号及びブロードキャスト・チャネルの上で送信する送信電力を、時間の関数として変化させるための手段とを含み、
ここで、送信電力レベルは、新しい諸ＡＴが前記無線通信装置を検出できるように及び関連する諸ＡＴのアウェイク期間の間のアラインメントを確実にできるように、適切な周波数で公称レベルに維持されるものである、
無線通信装置。
【請求項３５】
コンピュータ読み取り可能な記憶媒体において、
コンピュータに、少なくとも一つの定義されたカバレージエリア内にアクセス端末（ＡＴ）が存在するかどうか判定させるためのコードと、
コンピュータに、前記少なくとも一つのカバレージエリア内にＡＴが存在しないことに応答して、アクセスポイント（ＡＰ）基地局を低電力モードに設定させるためのコードと、
コンピュータに、前記ＡＰ基地局が低電力モードにある場合に、同期チャネル、パイロット信号及びブロードキャスト・チャネルにおいて送信される送信電力を、時間の関数として変化させるためのコードとを含み、
ここで、送信電力レベルは、新しい諸ＡＴが前記ＡＰ基地局を検出できるように及び関連する諸ＡＴのアウェイク期間の間のアラインメントを確実にできるように、適切な周波数で公称レベルに維持されるものである、
コンピュータ読み取り可能な記憶媒体。
【請求項３６】
前記少なくとも一つのカバレージエリアは、前記ＡＰ基地局のフェムト・カバレージエリアを含む請求項３５のコンピュータ読み取り可能な記憶媒体。
【請求項３７】
コンピュータ読み取り可能な記憶媒体において、
コンピュータに、少なくとも一つの定義されたカバレージエリア中の少なくとも一つのアクセス端末（ＡＴ）の各々が、アイドル状態にあるかどうか判定させるためのコードと、
コンピュータに、前記少なくとも一つのＡＴの各々が前記アイドル状態にあることに応答して、アクセスポイント（ＡＰ）基地局を低電力モードに設定させるためのコードと、
コンピュータに、前記ＡＰ基地局が低電力モードにある場合に、同期チャネル、パイロット信号及びブロードキャスト・チャネルにおいて送信される送信電力を、時間の関数として変化させるためのコードとを含み、
ここで、送信電力レベルは、新しい諸ＡＴが前記ＡＰ基地局を検出できるように及び関連する諸ＡＴのアウェイク期間の間のアラインメントを確実にできるように、適切な周波数で公称レベルに維持されるものである、
コンピュータ読み取り可能な記憶媒体。
【発明の詳細な説明】
【技術分野】
【０００１】
（35 U.S.C.§119の下の優先権の主張）
本特許出願は、２００８年７月２日付け提出され、本願の譲受人に譲渡され、参照によって本明細書に明確に組み込まれる「LOW POWER MODES FOR FEMTOCELLS」と題された米国仮出願第６１／０７７，５３３号の優先権を主張する。
【０００２】
（技術分野）
本出願は、無線通信デバイスに関し、より詳しくはフェムトセルのための低電力モードを実装するためのシステム及び方法に関する。
【背景技術】
【０００３】
複数のユーザに様々なタイプの通信（例えば、ボイス、データ、マルチメディアサービスなど）を提供するために、無線通信システムが広く配置される。高レート及びマルチメディアのデータ・サービスの需要が急速に増大するにつれて、強化されたパフォーマンスを備えた効率的で強健な（robust）通信システムを実装するという課題が待ち受けている。
【０００４】
近年、ユーザは、固定回線通信を移動体通信で置き換え始め、良いボイス品質、信頼できるサービス及び低価格をますます要求した。現在配置されている携帯電話網に加えて、新たな種類の小型基地局が出現した。それは、既存の広帯域インターネット接続を使用して、携帯電話端末に屋内の無線カバレージを提供するために、住居の又はビジネスのロケーション（residential or business locations）に設置されることがある。そのようなパーソナルな小型基地局は、アクセスポイント（ＡＰ）基地局として一般に知られており、Ｈｏｍｅ Ｎｏｄｅ Ｂ（ＨＮＢ）ユニット、フェムトセル、フェムト基地局（ｆＢＳ）、基地局又は基地局トランシーバ・システム（base station transceiver system）（ＢＴＳ）とも呼ばれる。一般的に、そのような小型基地局は、デジタル加入者回線（ＤＳＬ）ルータ又はケーブルモデムを介してインターネット及び携帯電話会社のネットワーク（mobile operator’s network）に接続される。
【０００５】
ＡＰ基地局又はフェムトセルは、基地局サポートが弱い又は利用できない場所（例えば、屋内、遠い場所など）でのセルラー・アクセスを可能にする。ＡＰ基地局は、ブロードバンド・バックホール（例えば、ＤＳＬ、ケーブル・インターネット・アクセス、Ｔ１／Ｔ３など）を介して無線サービス・プロバイダに接続し、典型的な基地局機能性（例えば、無線基地局（ＢＴＳ）技術、無線ネットワーク・コントローラ及びゲートウェイ・サポート・ノード・サービス）を提供する、小さな基地局として説明されることができる。これは、アクセス端末（ＡＴ）（セルラー／モバイル・デバイス又はハンドセット、又はユーザ装置（ＵＥ）とも呼ばれる）が、ＡＰ基地局に接続し、無線サービスを利用することを可能にする。ＡＴは、例えば、セルラー電話、スマートフォン、ラップトップ、ハンドヘルド通信デバイス、ハンドヘルド・コンピュータ・デバイス、衛星ラジオ、ナビゲーション・デバイス、携帯情報端末（ＰＤＡ）、及び／又は、無線通信システムを介して通信するための任意の他の適したデバイスを含むことができることは留意される。
【０００６】
（ａ）所定のＡＰ基地局に関連する（１又は複数の）カバレージエリア内にＡＴが存在しない及び／又は（ｂ）ＡＴの各々がアイドル状態にあるときの期間が、時々、広がることがある。そのような状況では、所定のＡＰ基地局が高電力で送信するならば、該所定のＡＰ基地局は、たぶん電力を浪費しているであろうし、また、近隣のＡＰ基地局及び／又はマクロ基地局によりサービスされているユーザに不必要な干渉を引き起こしている可能性がある。したがって、ＡＴがＡＰ基地局の存在を検出し、それらの割り当てられたウェイクアップ・サイクルにおいてページを受信するために必要な、それらの信号を送信するのと同時に、ＡＰ基地局が選択的に送信電力を低減するための技術を提供することは、望ましいであろう。
【発明の概要】
【０００７】
以下は、そのような実施態様の基本的な理解を提供するために、１又は複数の実施態様の簡略化された概要を示す。この概要は、すべての予期される実施形態の外延的な概要ではなく、また、すべての実施態様の鍵となる又は重要な要素を特定することも、一部又は全部の実施態様の範囲を線引きすることも意図されていない。その唯一の目的は、後で示されるより詳しい説明に対する前置きとして、１又は複数の実施態様の幾つかの概念を簡略化された形で示すことである。
【０００８】
１又は複数の実施形態及びその対応する開示に従って、アクセスポイント（ＡＰ）基地局における低電力モードの配備（deployment）のための方法に関連して様々な態様が説明される。一つの実施形態において、本方法は、少なくとも一つの定義されたカバレージエリア内にアクセス端末（ＡＴ）が存在するかどうかについて判定することを伴っても（involve）良い。本方法は、前記少なくとも一つのカバレージエリア内にＡＴが存在しないことに応答して、前記低電力モードに入ることを伴っても良い。本方法はまた、前記低電力モードである場合に、前記ＡＰ基地局が少なくとも一つの共通チャネル（例えば、同期チャネル、パイロット信号及びブロードキャスト・チャネルのうちの少なくとも一つ）を送信する送信電力を、時間の関数として変化させることを伴っても良い。
【０００９】
関係する態様において、判定するステップは、前記ＡＰ基地局のフェムト・カバレージエリア内に少なくとも一つのＡＴが存在するかどうか判定することを含んでも良い。変化させるステップは、同期チャネル、パイロット信号及びブロードキャスト・チャネルのうちの少なくとも一つの前記送信電力を変化させることを含んでも良い。
【００１０】
更に関係する態様において、判定するステップは、マクロ・ネットワークにより判定された少なくとも一つのＡＴに関するモビリティ・データを受信することを含んでも良い。代わりに又は加えて、判定するステップは、マクロ・ネットワークのマクロ基地局のマクロ・カバレージエリア内に少なくとも一つのＡＴが存在するかどうかに関する情報を受信することを含んでも良い。代わりに又は加えて、判定するステップは、マクロ・ネットワークの複数のマクロ基地局からの少なくとも一つのＡＴに関する情報をアグリゲートすることを含んでも良い。
【００１１】
更に他の関係する態様において、前記マクロ・ネットワークから送信されたウェイクアップ信号を受信することを含んでも良い。本方法は、前記少なくとも一つのＡＴによりレポートされるサービング・セル及び隣接セルのうちの少なくとも一つの識別情報に少なくとも部分的に基づいて前記ウェイクアップ信号を受信することを伴っても良い。本方法はまた、前記マクロ・ネットワークにより判定された前記少なくとも一つのＡＴに関するモビリティ・データに少なくとも部分的に基づいて前記ウェイクアップ信号を受信することを伴っても良い。本方法は、前記ウェイクアップ信号の受信に応答して前記低電力モードでオペレートするのを中止すること及び／又は前記ウェイクアップ信号の受信に応答して前記送信電力を修正する（例えば、増加させる）ことを更に伴っても良い。
【００１２】
なお更なる関係する態様において、本方法は、前記少なくとも一つのカバレージエリア内に少なくとも一つのＡＴが存在することに応答して、前記少なくとも一つのＡＴの各々がアイドル状態にあるかどうか判定することと、前記少なくとも一つのＡＴの各々がアイドル状態にあることに応答して、第２の低電力モードに入ることを伴っても良い。本方法は、前記少なくとも一つのＡＴのうちの所定の一つがアウェイク状態にあることに応答して、通常モードでオペレートすることを伴っても良い。
【００１３】
他の実施形態において、本方法は、少なくとも一つの定義されたカバレージエリア中の少なくとも一つのＡＴの各々が、アイドル状態にあるかどうか判定することを伴っても良い。本方法は、前記少なくとも一つのＡＴの各々が前記アイドル状態にあることに応答して、前記低電力モードに入ることを伴っても良い。本方法はまた、前記ＡＰ基地局が少なくとも一つの共通チャネルを送信する送信電力を、時間の関数として変化させることを伴っても良い。本方法は、前記少なくとも一つのＡＴのうちの所定の一つがアウェイク状態にあることに応答して、通常モードでオペレートすることを更に伴っても良い。
【００１４】
１又は複数の実施形態及びその対応する開示に従って、低電力モードの配備のために構成されるデバイス及び装置に関連して様々な態様が説明される。一つの例において、本デバイスは、マクロ・ネットワークとの有効な（operative）通信における通信バックホール（communication backhaul）のためのバックホール・インタフェースを含んでも良い。本デバイスは、（ａ）少なくとも一つのＡＴ、（ｂ）前記バックホールを介した前記マクロ・ネットワーク、及び（ｃ）前記マクロ・ネットワークとの有効な通信における少なくとも一つの基地局（例えば、マクロ基地局及び近隣のＡＰ基地局のうちの少なくとも一つ）のうちの少なくとも一つと通信するためのトランシーバ・モジュールを含んでも良い。本デバイスはまた、前記バックホール・インタフェース及び前記トランシーバ・モジュールと有効に（operatively）接続された少なくとも一つのプロセッサ。本デバイスは、前記少なくとも一つのプロセッサに有効に接続され、前記少なくとも1つのプロセッサのための実行可能なコードを含むメモリ・モジュールを更に含んでも良い。
【００１５】
一つの実施形態において、前記少なくとも一つのプロセッサは、（ａ）少なくとも一つの定義されたカバレージエリア内にＡＴが存在するかどうか判定し、（ｂ）前記少なくとも一つのカバレージエリア内にＡＴが存在しないことに応答して、前記デバイスを低電力モードに設定し、そして、（ｃ）前記デバイスが前記低電力モードにあるとき、前記トランシーバ・モジュールが少なくとも一つの共通のチャネル（例えば、同期チャネル、パイロット信号及びブロードキャスト・チャネルのうちの少なくとも一つ）を送信する送信電力を時間の関数として変化させるように前記トランシーバ・モジュールに指示しても良い。
【００１６】
関係する態様において、前記少なくとも一つのカバレージエリアは、ＡＰ基地局のフェムト・カバレージエリアを含む。代わりに又は加えて、前記少なくとも一つのカバレージエリアは、前記マクロ・ネットワークのマクロ基地局のマクロ・カバレージエリアを含んでも良い。前記少なくとも一つのプロセッサは、前記少なくとも一つのプロセッサは、マクロ・ネットワークにより判定される前記少なくとも一つのＡＴに関するモビリティ・データを受信することによって、前記少なくとも一つのカバレージ内にＡＴが存在するかどうかについて判定しても良い。前記少なくとも一つのプロセッサは、前記少なくとも一つのプロセッサは、マクロ・ネットワークの複数のマクロ基地局からの前記少なくとも１つのＡＴに関する情報をアグリゲートすることによって、前記少なくとも一つのカバレージエリア内にＡＴが存在するかどうかについて判定しても良い。
【００１７】
更に関係する態様において、前記トランシーバ・モジュールは、前記マクロ・ネットワークから送信されるウェイクアップ信号を受信しても良い。前記ウェイクアップ信号は、前記少なくとも一つのＡＴによりレポートされるサービング・セル及び隣接セルのうちの少なくとも一つの識別情報に少なくとも部分的に基づいても良い。前記ウェイクアップ信号は、前記マクロ・ネットワークにより判定された前記少なくとも一つのＡＴに関するモビリティ・データに少なくとも部分的に基づいても良い。前記デバイスは、前記ウェイクアップ信号の受信に応答して前記低電力モードでオペレートするのを中止しても良い。少なくとも一つのプロセッサは、前記ウェイクアップ信号の受信に応答して前記送信電力を修正する（例えば、増加させる）ように前記トランシーバ・モジュールに指示しても良い。
【００１８】
更に他の関係する態様において、前記少なくとも一つのプロセッサは、前記少なくとも一つのカバレージエリア内に前記少なくとも一つのＡＴが存在することに応じて、前記少なくとも一つのＡＴの各々がアイドル状態にあるかどうか判定し、そして、前記少なくとも一つのＡＴの各々が前記アイドル状態にあることに応答して、前記デバイスを第２の低電力モードに設定しても良い。前記少なくとも一つのプロセッサは、前記少なくとも一つのＡＴのうちの所定の一つがアウェイク状態にあることに応答して、前記デバイスを通常モードに設定しても良い。
【００１９】
他の実施形態において、前記少なくとも1つのプロセッサは、（ａ）少なくとも一つの定義されたカバレージエリアにおける少なくとも一つのＡＴの各々が、アイドル状態であるかどうか判定し、（ｂ）前記少なくとも一つのＡＴの各々がアイドル状態にあることに応答して、前記デバイスを低電力モードに設定し、そして、（ｃ）前記デバイスが前記低電力モードにあるとき、前記トランシーバ・モジュールが少なくとも一つの共通のチャネルを送信する送信電力を時間の関数として変化させるように前記トランシーバ・モジュールに指示しても良い。前記少なくとも一つのプロセッサは、前記少なくとも一つのＡＴのうちの所定の一つがアウェイク状態にあることに応答して、前記デバイスを通常モードに設定しても良い。
【００２０】
前述の目的及び関係する目的の達成のために、１又は複数の実施形態は、以下に十分に説明され、特に特許請求の範囲において指摘された特徴を包含する。以下の説明及び添付された図面は、１又は複数の実施形態の幾つかの説明的な態様を説明する。これらの態様は、しかし、様々な実施形態の原理が使用され得る様々な方法のうちのほんの数例を示し、また、説明された実施形態はすべての当該の態様及びそれらの均等物を含むことが意図される。
【図面の簡単な説明】
【００２１】
【図１】図１は、例示的な無線通信システムを説明する。
【図２】図２は、本明細書で説明される１又は複数の態様に従う無線通信システムの説明図である。
【図３】図３は、ＡＰ基地局が実装され得る例示的な環境を説明する。
【図４】図４は、例示的なＡＰ基地局のブロック図を提供する。
【図５】図５は、ＡＰ基地局において低電力モードを配備するシステムを説明する一般的なコンポーネント・ブロック図である。
【図６】図６は、ＡＰ基地局における低電力モードの配備を容易にする全般的な方法を説明するフローチャートである。
【図７】図７は、ＡＰ基地局における低電力モードの配備を容易にする全般的な方法の態様を説明するフローチャートである。
【図８Ａ】図８Ａは、ＡＰ基地局における低電力モードの配備を容易にする方法のための一つの実施形態を示す。
【図８Ｂ】図８Ｂ−Ｃは、図８Ａに示される方法の例示的な態様を示す。
【図８Ｃ】図８Ｂ−Ｃは、図８Ａに示される方法の例示的な態様を示す。
【図９Ａ】図９Ａは、ＡＰ基地局における低電力モードの配備を容易にする方法のための他の実施形態を示す。
【図９Ｂ】図９Ｂは、図９Ａに示される方法の例示的な態様を示す。
【図１０Ａ】図１０Ａは、低電力モードの配備のために構成される装置の一つの実施形態を示す。
【図１０Ｂ】図１０Ｂ−Ｃは、図１０Ａに示される装置の例示的な態様を示す。
【図１０Ｃ】図１０Ｂ−Ｃは、図１０Ａに示される装置の例示的な態様を示す。
【図１１】図１１は、低電力モードの配備のために構成される装置の他の実施形態を示す。
【詳細な説明】
【００２２】
さて、様々な実施形態が図面を参照して説明される。ここで、全体にわたって同様のエレメントを指し示すために同様の参照番号が使用される。以下の記述では、説明の目的のために、多数の特定の細部が、１又は複数の実施形態の深い理解を与えるために説明される。しかし、そのような（１又は複数の）実施形態がこれら特定の細部なしに実施されることができることは明らかであろう。他のインスタンスにおいて、１又は複数の実施形態の説明を容易にするために、良く知られた構造及びデバイスが、ブロック図の形で示される。
【００２３】
アクセスポイント（ＡＰ）基地局は、個々のコンシューマー（consumers)に配置されることができ、また、ホーム、アパート、オフィスビルなどに置かれることができる。ＡＰ基地局は、そのＡＰ基地局の利用するライセンスされた（licensed）セルラー伝送バンドの範囲内において、無線でＡＴと通信することができる。更に、ＡＰ基地局は、例えばデジタル加入者回線（ＤＳＬ。例えば、非対称ＤＳＬ（ＡＤＳＬ）、ハイデータレートＤＳＬ（ＨＤＳＬ）、超高速ＤＳＬ（ＶＤＳＬ）などを含む。）、ＩＰトラフィックを運ぶテレビ・ケーブル、ブロードバンド・オーバー・パワーライン（Broadband over Power Line）（ＢＰＬ）コネクション、又は同様のコネクションのような、インターネット・プロトコル（ＩＰ）コネクションにより、コア・セルラー・ネットワークに接続されても良い。ＩＰライン及びセルラー・ネットワーク間のコネクションは、ダイレクトコネクションであることができ、又は、インターネット経由であることができる。したがって、ＡＰ基地局は、セルラー・サポートを、ＡＴ若しくはセルラ・ハンドセットに提供することができ、又は、セルラー・トラフィック（例えば、ボイス、データ、ビデオ、オーディオ、インターネットなど）を、ＩＰコネクションを通してマクロ・セルラー・ネットワークへルーティングすることができる。このメカニズムは、コンシューマーのエアータイムを節約することができ、また、ネットワーク・プロバイダのセルラー・ネットワーク・トラフィック負荷を低減することができる。また、ホーム、オフィスビル、アパートなどの内部のセルラー・カバレージは、ＡＰ基地局の実装により大いに改善されることができる。ＡＰ基地局が、非同期転送モード（ＡＴＭ）又はその種の他のものを実装する非ＩＰコネクションによりコア・セルラー・ネットワークと通信することができることは留意される。
【００２４】
ＡＰ基地局は、複数のＡＴとのセルラー・リンク（例えば、１又は複数のライセンスされた無線ネットワーク周波数を利用する無線リンク）を形成することができるが、コンシューマーは、一般的に、ＡＰ基地局に接続されるプライベートＩＰコネクションにより運ばれるべき自分（his or her）のトラフィックのみを要求する。例えば、コンシューマーは、他のＡＴユーザの使用のためによりはむしろ、それら自身の使用のためにＩＰバンド幅を維持したいかもしれない。その結果、特定の配備において、ＡＰ基地局は、単一ＡＴ又はＡＴグループに関連することがあり、また、そのような（１又は複数の）ＡＴに関係するトラフィックは、コンシューマーのＩＰコネクションについてルーティングされるが、これに対して、他のＡＴに関係するトラフィックは、より低いプライオリティーを有するかもしれず、又は、妨げられるかもしれない。従って、ＡＰ基地局は、加入者（subscriber）に関係なく、複数のＡＴと通信することができるが、ＡＰ基地局は、一般的に、特定のコンシューマー、サービスプラン又はその種の他のものに関連しないデバイスを無視するようにプログラムされる。
【００２５】
図１は、幾つかのユーザをサポートするように構成される例示的な無線通信システム１００を示す。そこにおいて、様々な開示された実施形態及び態様が実装されても良い。図１で示されるように、例として、システム１００は、複数のセル１０２（例えば、マクロ・セル１０２ａ〜１０２ｇ）のための通信を提供し、各々のセルは、対応するマクロ基地局１０４（例えば、基地局１０４ａ〜１０４ｇ）によりサービスされる。各々のセルは、１又は複数のセクターに更に分割されても良い。ＡＴ１０６ａ〜１０６ｋを含む様々なアクセス端末（ＡＴ）１０６（互換的にユーザ装置（ＵＥ）としても知られている）は、システム全体にわたって分散される。各々のＡＴ１０６は、例えば、ＡＴがアクティブかどうか及びそれがソフト・ハンドオフにあるかどうかに応じて、所定の時点において順方向リンク（ＦＬ）及び／又は逆方向リンク（ＲＬ）上で、１又は複数の基地局１０４と通信し得る。無線通信システム１００は、大きな地理的領域にわたってサービスを提供しても良い（例えば、マクロ・セル１０２ａ〜１０２ｇは、近隣における数ブロックをカバーしても良い）。
【００２６】
さて、図２を参照して、本明細書で提示される様々な実施形態に従って無線通信システム２００が説明される。システム２００は、複数のアンテナ・グループを含むことができるマクロ基地局２０２を含む。例えば、一つのアンテナ・グループは、アンテナ２０４及び２０６を含むことができ、他のグループは、アンテナ２０８及び２１０を含むことができ、更なるグループは、アンテナ２１２及び２１４を含むことができる。各々のアンテナ・グループについて２つのアンテナが示されるが、各々のグループについてより多いアンテナ又はより少ないアンテナが利用されることができる。基地局２０２は、送信機チェーン及び受信機チェーンを更に含むことができる。そして、それらの各々は、信号の送信及び受信に関係する複数のコンポーネント（例えば、プロセッサ、変調器、マルチプレクサ、復調器、デマルチプレクサ、アンテナなど）を含むことができる。これは当業者により認識されるであろう。基地局２０２は、１又は複数のＡＴ（例えば、ＡＴ２１６及び２２２）と通信することができる。
【００２７】
図２中に表されるように、ＡＴ２１６は、アンテナ２１２及び２１４と通信する。ここで、アンテナ２１２及び２１４は、順方向リンク２１８上でＡＴ２１６に情報を送信し、逆方向リンク２２０上でＡＴ２１６から情報を受信する。さらに、ＡＴ２２２は、アンテナ２０４及び２０６と通信する。ここで、アンテナ２０４及び２０６は、順方向リンク２２４上でＡＴ２２２に情報を送信し、逆方向リンク２２６上でＡＴ２２２から情報を受信する。周波数分割双方向（ＦＤＤ）システムにおいて、例えば、順方向リンク２１８は、逆方向リンク２２０により使用される周波数バンドとは異なる周波数バンドを利用することができ、順方向リンク２２４は、逆方向リンク２２６により使用される周波数バンドとは異なる周波数バンドを使用することができる。さらに、時分割双方向（ＴＤＤ）システムにおいて、順方向リンク２１８及び逆方向リンク２２０は、共通の周波数バンドを利用することができ、順方向リンク２２４及び逆方向リンク２２６は、共通の周波数バンドを利用することができる。
【００２８】
各々のアンテナ・グループ及び／又はそれらが通信するように指定されるエリアは、マクロ基地局２０２のセクターと呼ばれることができる。例えば、アンテナ・グループは、基地局２０２によりカバーされるエリアのセクターにおいて、ＡＴと通信するようにデザインされることができる。順方向リンク２１８及び２２４上の通信において、基地局２０２の送信アンテナは、ＡＴ２１６及び２２２のための順方向リンク２１８及び２２４の信号対雑音比を改善するためにビームフォーミングすることを利用することができる。また、基地局２０２は、関連するカバレージにわたってランダムに散在されるＡＴ２１６及び２２２に送信するためにビームフォーミングを利用するが、近隣のセル中のＡＴは、単一のアンテナを通してすべてのそのＡＴに送信する基地局と比較して、より少ない干渉を受けることができる。さらに、一つの例において、ＡＴ２１６及び２２２は、ピアツーピア又はアドホックな技術を使用して、直接、互いに通信することができる。
【００２９】
例えば、マクロ基地局２０２の類似する機能性は、ＡＰ基地局２２８及び２３０（それは例えば住居又はオフィスビルのようなより小さなスケールのロケーションに配置されることができる）において実装されることができる。上記のように、ＡＰ基地局はまた、フェムトセル又はＨｏｍｅ Ｎｏｄｅ Ｂ（ＨＮＢ）ユニットと呼ばれることができ、また、例えばＤＳＬ、ケーブル、Ｔ１／Ｔ３などのような無線サービス・プロバイダに対するブロードバンド・バックホール・リンクを有することができ、また、無線通信サービスを１又は複数のＡＴに提供することができる。図示されるように、ＡＰ基地局２２８は、基地局２０２と同様に、順方向リンク２３４上で１又は複数のＡＴ２３２と通信することができ、逆方向リンク２３６上で１又は複数のＡＴ２３２から通信を受信することができる。
【００３０】
一つの例に従って、ＡＰ基地局２３０は、無線サービス・アクセスを提供するために配備されることができる。配備されると、ＡＰ基地局２３０は、周囲の（surrounding）フェムトセル（例えば、ＡＰ基地局２２８）及びマクロ・セル（例えば、基地局２０２又はそのセクター／セル）に対する干渉を避けるために、任意に自己設定（self-configure）することができる。この点に関しては、ＡＰ基地局２３０は、ＡＴ２１６，２２２及び２３２と同様、基地局２０２及び異なるＡＰ基地局２２８から信号を受信することができる。信号は、異なるＡＰ基地局２２８及び／又は基地局２０２により利用される設定パラメータ（configuration parameters）を判定するために、ＡＰ基地局２３０により利用されることができるオーバーヘッド・システム・メッセージであることができる。
【００３１】
設定パラメータは、類似する環境構成（environment configuration）のためにＡＰ基地局２３０により判定されることができる。さらに、パラメータは、ＡＰ基地局２３０が干渉を軽減するために異なるパラメータを選択することを確実とするために、利用されることができる。これらのパラメータは、ＡＰ基地局２２８、マクロ基地局２０２及び／又は実質的に任意の他の周囲の送信機について、例えば、チャネル識別子（例えば、符号分割多元接続（ＣＤＭＡ）チャネルＩＤ）、擬似雑音（ＰＮ）オフセット及び／又はその種の他のものを含むことができる。したがって、ＡＰ基地局２３０は、そのチャネル識別子、ＰＮオフセットなどを、周囲のフェムトセル及びマクロ・セルに干渉しないように、自己設定することができる。さらに、ＡＰ基地局２３０は、ＡＰ基地局２３０と通信するデバイスのためのハード・ハンドオフ及びソフト・ハンドオフを容易にするために、周囲のフェムトセル及びマクロ・セルの隣接リスト（neighbor list）を構築するために、この情報を利用することができる。ＡＰ基地局２３０は、タイミング、ロケーション及び／又はその種の他のものを判定するために、例えば、ＡＰ基地局２２８及び／又は基地局２０２から、無線周波数（ＲＦ）信号を受信するように構成（adapted to）されても良いことに留意される。
【００３２】
本明細書で説明される実施形態の１又は複数の態様に従って、図３は、ＡＰ基地局３１５が実装され得る例示的なシステム３００を示す。システム３００は、マクロ・ネットワーク３３０に有効に（operatively）接続されるマクロ基地局３１０と有効に通信するＡＴ３０５ａを含んでも良い。マクロ・ネットワーク３３０は、マクロ・ネットワーク・コアを含み又はさもなければマクロ・ネットワーク・コアに有効に接続される。システム３００はまた、通信バックホール３２５に有効に接続されるＡＰ基地局３１５と有効に通信するＡＴ３０５ｂを含んでも良い。そして、通信バックホール３２５は、マクロ・ネットワーク３３０のネットワーク・コアに有効に接続される。
【００３３】
作動中（In operation）、モバイル・デバイス３０５ａは、通信リンク３０７を介してマクロ基地局３１０からデータを送信及び受信しても良い。通信リンク３０７は、例えばＣＤＭＡｏｎｅ、ＣＤＭＡ２０００、ワイドバンドＣＤＭＡ（Ｗ−ＣＤＭＡ。ユニバーサル移動通信システム（ＵＭＴＳ）としても知られている。）、ウルトラ・モバイル・ブロードバンド（ＵＭＢ）、ロングタームエボリューション（ＬＴＥ）、ＬＴＥアドバンスト（LTE-Advanced）（ＬＴＥ−Ａ）、マイクロ波アクセスのための世界的な相互運用性（Worldwide Interoperability for Microwave Access）（ＷｉＭａｘ）などような、様々な通信標準を使用しても良い。基地局３１０は、リンク３０８を介してマクロ・ネットワーク３３０と通信しても良い。システム３００は、第３世代パートナーシッププロジェクト（３ＧＰＰ）（Ｒｅｌ９９，Ｒｅｌ５，Ｒｅｌ６，Ｒｅｌ７）技術の上でも、３ＧＰＰ２（１ｘＲＴＴ，１ｘＥＶ−ＤＯ Ｒｅｌ０，ＲｅｖＡ，ＲｅｖＢ）技術及び他の既知及び関係する技術の上でも、オペレートするように構成されても良いことに留意される。
【００３４】
マクロ・ネットワーク３３０は、そのネットワーク・コアにおいてネットワーク・コントローラを含んでも良い。配備される通信ネットワークのタイプに応じて、ネットワーク・コントローラは、無線ネットワーク・コントローラ（ＲＮＣ）、修正ＲＮＣ（modified RNC）、アンライセンスド・モバイル・アクセス（Unlicensed Mobile Access）（ＵＭＡ）ネットワーク・コントローラ又はセッション開始プロトコル（ＳＩＰ）ゲートウェイ又はその種の他のものであっても良い。図示された例において、マクロ基地局３１０は、マクロ・ネットワーク３３０のＲＮＣ３３２と有効に通信する。図３の実施形態において、マクロ・ネットワーク３３０は、基地局コントローラ（ＢＳＣ）又はＲＮＣ３３２を含む。ＢＳＣ／ＲＮＣ３３２は、メッセージ交換センター（ＭＳＣ）３３４と、又は、ボイスコール、ショート・メッセージ・サービス（ＳＭＳ）の処理にも、他のサービス（例えば、電話会議、ＦＡＸ及び回路交換データ（circuit switched data））にも関与する類似するサービス・デリバリー・ノードと、有効に通信しても良い。ＭＳＣ３３４は、エンドツーエンド・コネクションをセットアップ及びリリースし、コールの間、モビリティ及びハンドオーバー要求を処理し、チャージング及びリアルタイム・プリペイド・アカウント・モニタリングなどを処理（take care of）しても良い。
【００３５】
ＭＳＣ３３４は、ビジター・ロケーション・レジスタ（ＶＬＲ）３３６、又は、特定のエリア内に入るか若しくはローミングするネットワーク加入者の類似する一時的なデータベースを含んでも良く、又は、それに接続される。ＶＬＲ３３６は、レジストリ（図示せず）と有効に通信しても良い。レジストリは、通常、オペレーターのネットワークを使用する許可を与えられる（authorized）モバイル電話加入者の詳細（details）を含むデータベースを含んでも良い。ＭＳＣ３３４は、公衆交換電話網（Public Switched Telephone Network）（ＰＳＴＮ）３４０、公衆回線モバイル・ネットワーク（Public Line Mobile Network）（ＰＬＭＮ）又は他の類似するネットワークと有効に通信しても良い。このように、マクロ・ネットワーク３３０は、それらのネットワークのうちの１つに接続されるエンド・ユーザに対して、ボイス及びデータ・サービスを伝える（deliver）ことができる。システム３００は、能力（capacity）を増加させるために、ＭＳＣ３３４との有効な（operative）通信において、更なるＭＳＣ及びレジストリ（図示せず）を含むように拡大（scaled）されても良い。
【００３６】
関係する態様において、モバイル・デバイス３０５ｂは、ボイス及び／又は非ボイス・データをそこの間で転送するためにバックホール・サービス３２５を使用するように構成されたＡＰ基地局３１５及び／又はマクロ基地局３１０を介してマクロ・ネットワーク３３０と通信しても良い。バックホール・サービス３２５は、インターネット、ＤＳＬサービス、ケーブル・インターネット・サービス、ローカルエリアネットワーク（ＬＡＮ）、ワイドエリアネットワーク（ＷＡＮ）、普通の古い電話システム（Plain Old Telephone System）（ＰＯＴＳ）、又は、任意の他の適したブロードバンド・ネットワーク又はその種の他のものを含んでも良い。モバイル３０５ｂは、通信リンク３０９を介して基地局３１５と通信しても良く、また、図２を参照して上で説明されたＡＰ基地局の１又は複数の特徴を組み込んでも良い。基地局３１５は、所定のＡＴがそれを通してマクロ・ネットワーク３３０のネットワーク・コアと通信し得るフェムトセルを提供する能力（ability）を、その特徴と一つとして含むことに留意される。
【００３７】
ＡＰ基地局３１５は、通信リンク３１１（有線又は無線）を介してバックホール・ネットワーク３２５をわたってデータを転送するように構成されても良い。配備されているシステムのタイプに応じて、通信リンク３１１は、ボイスオーバーＩＰ（ＶｏＩＰ）、ＵＭＡシグナリング、ＳＩＰシグナリング又は他の適した通信ネットワークプロトコル（例えば、Ｉｕｂ ｏｖｅｒ ＩＰ）を使用しても良い。Ｉｕｂは、ボイス及び／又は非ボイス・データをカプセル化し、そして、ネットワーク３２５にわたってトンネルされるＩＰとしてシグナルするようにデザインされ得る標準的なトランスポート・プロトコルである。
【００３８】
マクロ・ネットワーク３３０は、マクロ・ネットワーク３３０がマクロ基地局３１０からのデータを処理する方法に類似して、適したネットワーク・コントローラで、ネットワーク３２５から受信されるデータを処理しても良い。マクロ・ネットワーク３３０により使用されるネットワーク・コントローラのタイプは、ＡＰ基地局３１５のコンポーネントのアーキテクチャー又はタイプに少なくとも部分的に依存する。例えば、ＩＰ無線アクセスネットワーク（ＲＡＮ）及びＳＩＰ／ＩＭＳのような様々なフェムトセル・アーキテクチャーが存在する。ＩＰ ＲＡＮアーキテクチャーの中には、ネットワーク・コアにおいて及び／又はＡＰ基地局において様々なハードウェア・アーキテクチャーを実装する様々なフェムトセルのソリューション（例えば修正ＲＮＣ、コンセントレータなどのような）が提供され得る。
【００３９】
また、システム３００は、ＷＡＮシステムと同一のキャリアを再利用する同一の一般的な地理的エリアの中に配置されるフェムトセル及びＷＡＮマクロ・セルを含んでも良いことに留意される。一つのアプローチにおいて、ＷＡＮシステムはレガシー技術を使用しても良く、一方、フェムトセル・システムは、例えば、効率的にＡＰ基地局オペレーションをサポートするレガシー技術の発展型バージョンのような新技術を使用しても良い。
【００４０】
１又は複数の実施形態及びその対応する開示に従って、１又は複数の低電力モードにおいて選択的に動作を利用するように構成されるＡＰ基地局に関連して様々な態様が説明される。図４を参照して、複数の受信アンテナ４０６を通して（１又は複数の）ＡＴ４０４から又は他のＡＰ基地局（描かれていない）から（１又は複数の）信号を受信するように構成された受信機コンポーネント／モジュール４１０を含み得るＡＰ基地局４０２を含む例示的なシステム４００が提供される。ＡＰ基地局４０２はまた、１又は複数の送信アンテナ４０８を通して（１又は複数の）ＡＴ４０４（又は他のＡＰ基地局）に送信するように構成された送信機コンポーネント／モジュール４２６を含んでも良い。受信機コンポーネント４１０は、受信アンテナ４０６から情報を受信しても良く、また、（１又は複数の）ＡＴ４０４により送信されるアップリンク・データを受信する信号受信部（signal recipient）（図示せず）を更に含んでも良い。受信機コンポーネント４１０及び送信機コンポーネント４２６は、無線ローカルエリアネットワーク（ＷＬＡＮ）、ＢＰＬ、イーサネット（登録商標）、ＵＭＴＳ−ＴＤＤ又はＷＬＡＮオーバーＵＭＴＳ−ＴＤＤ（WLAN over UMTS-TDD）を介してＡＴ又は他のＡＰ基地局と通信するように（例えば、ＡＰ基地局を通信可能に（communicatively）接続するために、セルラー周波数上にＷＬＡＮを実装するように）構成されても良いことが認識されるべきである。トランシーバ・モジュール（描かれていない）が、受信機コンポーネント４１０及び送信機コンポーネント４２６に代わって又はそれらと共に使用されても良いことに留意される。
【００４１】
受信機コンポーネント４１０は、受信された情報を復調するように構成された復調器４１２と有効に関連していても良い。変調器４２４により変調され、そして、送信機コンポーネント４２６により送信される更なる信号を（例えば、伝送及び／又はルーティング・インストラクションの形で）生成するために、プロセッサ４２２により復調シンボルが解析されても良い。さらに、プロセッサ４２２は、メモリ４２０に接続されても良い。メモリ４２０は、有線及び／又は無線通信を実現することに関係する情報、近隣のＡＰ基地局、マクロ基地局及び／又はＡＴの間で情報をルーティングするためのアプリケーション・モジュール、及び／又は、本明細書で説明される様々なアクション及び機能を実行することに関係する任意の他の適した情報を格納しても良い。
【００４２】
プロセッサ４２２は、ＡＰ基地局４０２とＡＴ４０４との間の通信リンクに関連する少なくとも一部のトラフィックを、セルラー・ネットワークへの転送のために近隣のＡＰ基地局（描かれていない）へルーティングしても良い（例えば、セルラー・ネットワークへの直接の接続により、又は、インターネットを経由して）。さらにまた、プロセッサ４２２は、ＡＰ基地局４０２に所属する（affiliated）トラフィック（例えば、予め定められたＡＴ又はＡＴグループにより生成される）を、ＩＰアップロード・リンク４３０（例えば、ＤＳＬコネクション（例えばＡＤＳＬ、ＶＤＳＬ、ＨＤＳＬのような）、又は、ケーブルＩＰコネクション、又はＢＰＬコネクション）経由で、直接セルラー・ネットワークに伝える（direct）ように構成されても良い。さらに、データは、ＩＰダウンロード・リンク４２８（例えば、ＤＳＬ、ケーブル、ＢＰＬ）を介して、セルラー・ネットワークから受信されても良く、また、ＡＰ基地局４０２に所属するＡＴ４０４に伝えられても良い。ＡＰ基地局４０２が１又は複数のプロセッサ４２２を含んでも良いことに留意される。
【００４３】
受信機コンポーネント４１０及び送信機コンポーネント４２６は、それぞれ、様々な情報を、（例えば、ＩＰアップロード４３０及び／又はＩＰダウンロード４２８を介して）セルラー・ネットワークへ／から、又は、ライセンス不要の（unlicensed）周波数又は有線接続の上で通信するＩＰルータ４２７（例えば、ＷＬＡＮルータ、ＬＡＮルータ、又はその種の他のもの）経由で他のＡＰ基地局へ／から、受信及び送信しても良い。他の実施形態において、受信機及び送信機コンポーネント／モジュール４１０，４２６は、トランシーバ・モジュール（描かれていない）の一部であっても良いし、又は、トランシーバ・モジュール（描かれていない）に置き換えられても良い。表された受信機４１０及び送信機４２６（又はそれらの代わりにトランシーバ）は、複数のＡＰとの通信リンクをサポートするように構成されても良い。
【００４４】
ＡＰ基地局は、例えば全地球測位衛星（Global Positioning Satellite）（ＧＰＳ）システム又は他の衛星測位システム（ＳＰＳ）(例えば、グローバル・ナビゲーション衛星システム（ＧＬＯＮＡＳＳ／ＧＮＳＳ）、提案されている欧州ガリレオ・システムなど)の複数の衛星のような第１のデータソースから信号を取得するための測位受信機（positioning receiver）（描かれていない）を含んでも良い。ＡＰ基地局４０２は、（ａ）ＡＴ、（ｂ）バックホールを介したマクロ・ネットワーク、及び、（ｃ）マクロ・ネットワークと有効に通信するマクロ基地局及び／又は近隣のＡＰ基地局のうちの少なくとも１つと通信するためのトランシーバ・モジュール（描かれていない）を含んでも良い。
【００４５】
関係する態様において、メモリ４２０は、プロセッサ４２２が、（ａ）少なくとも一つの定義されたカバレージエリア内にＡＴが存在するかどうか判定するための、（ｂ）前記少なくとも一つのカバレージエリア内にＡＴが存在しないことに応答して、ＡＰ基地局４０２を第１の低電力モードに設定する（place）ための、（ｃ）前記少なくとも一つのカバレージエリア内に少なくとも一つのＡＴが存在することに応答して、前記少なくとも一つのＡＴの各々がアイドル状態にあるかどうか判定するための、（ｄ）前記少なくとも一つのＡＴの各々がアイドル状態にあることに応答して、ＡＰ基地局４０２を第２の低電力モードに設定するための、及び、（ｅ）ＡＰ基地局が第１／第２の低電力モードにあるとき、送信機コンポーネント４２６又はトランシーバ・モジュールに対して少なくとも一つの共通チャネルが送信される送信電力を、時間の関数として変化させるように指示（instruct）するための、コード／インストラクションを生成する又は含むアプリケーション・モジュール又はアプリケーションを含んでも良い。プロセッサ４２２は、前記少なくとも一つのＡＴのうちの所定の一つがアウェイク状態にあることに応答して、ＡＰ基地局４０２を通常モード（normal mode）に設定しても良い。
【００４６】
更に関係する態様において、プロセッサ４２２は、ＡＰ基地局のフェムト・カバレージエリア内に少なくとも１つのＡＴが存在するかどうか判定することによって、少なくとも１つのカバレージエリア内に少なくとも１つのＡＴが存在するかどうか判定しても良い。送信機コンポーネント４２６は、同期チャネル、パイロット／基準信号及びブロードキャスト・チャネルのうちの少なくとも１つの送信電力を変化させても良い。
【００４７】
更に他の関係する態様において、プロセッサ４２２は、マクロ・ネットワークのマクロ基地局のマクロ・カバレージエリア内に少なくとも１つのＡＴが存在するかどうかに関する情報を受信することによって、少なくとも１つのカバレージエリア内に少なくとも１つのＡＴが存在するかどうか判定しても良い。受信機コンポーネント４１０又はトランシーバ・モジュールは、前記マクロ・ネットワークから送信されるウェイクアップ信号を受信しても良い。前記ウェイクアップ信号は、前記少なくとも一つのＡＴによりレポートされるサービング・セル及び隣接セルのうちの少なくとも一つの識別情報（dentification）に少なくとも部分的に基づいても良い。代わりに又は加えて、前記ウェイクアップ信号は、前記マクロ・ネットワークにより判定された前記少なくとも一つのＡＴに関するモビリティ・データに少なくとも部分的に基づいても良い。
【００４８】
なお更なる関係する態様において、ＡＰ基地局４０２は、前記ウェイクアップ信号の受信に応答して前記低電力モードでオペレートするのを中止（cease）しても良い。プロセッサ４２２は、前記ウェイクアップ信号の受信に応答して、前記送信電力を（例えば、送信電力を増加させることによって）修正するように送信機コンポーネント４２６に指示しても良い。
【００４９】
図５は、ＡＰ基地局における低電力モードを可能にするためのシステムを示す一般的なコンポーネント・ブロック図を提供する。図５に示されるように、システム５００は、プレゼンス・コンポーネント（presence component）５０４及び電力制御コンポーネント５０６を有するＡＰ基地局５０２を含んでも良い。
【００５０】
一つの実施形態において、プレゼンス・コンポーネント５０４は、ＡＰ基地局５０２に関連する（例えば、登録された）少なくとも１のＡＴの存在を判定しても良い。さらに、プレゼンス・コンポーネント５０４は、関連する（１又は複数の）ＡＴの状態を判定しても良い。例えば、プレゼンス・コンポーネント５０４は、同期されたＡＴがアウェイク状態であるか又はアイドル情報であるか判定することができる。
【００５１】
プレゼンス・コンポーネント５０４は、関連するＡＴの存在（presence）及び状態に関する情報（例えば、プレゼンス・データ）を、電力制御コンポーネント５０６に伝えても良い。電力制御コンポーネント５０６は、プレゼンス・データに少なくとも部分的に基づいて、ＡＰ基地局５０２が複数の信号を送信する電力レベルを制御しても良い。例えば、ＡＴがＡＰ基地局５０２に登録されていないか又は登録されたすべてのＡＴがアイドル状態である場合に、電力制御コンポーネント５０６は、低電力モードで送信するようにＡＰ基地局５０２に指示しても良い）。低電力モードにおいて、ＡＰ基地局５０２は、それが１又は複数の共通チャネルを送信する電力レベルを変化させても良い（例えば、時間の関数として）。
【００５２】
電力制御コンポーネント５０６は、新しいＡＴがＡＰ基地局５０２を検出できるようにするために、電力レベルが適切な（adequate）周波数で公称レベルに（nominal level）維持されることを確実としても良く、及び／又は、関連するＡＴのアウェイク期間と、ＡＰ基地局５０２の送信電力が公称レベルにある期間との間のアラインメント（alignment）を確実としても良い。共通チャネルは、ＡＴがＡＰ基地局５０２を検出すること及び／又はそれに接続することができるようにするために、ＡＰ基地局５０２が送信することを要求されるチャネルであっても良い。共通チャネルは、同期チャネル、パイロット又は基準信号、及び、ブロードキャスト・チャネルを含んでも良い（ただし、それらに制限されない）。
【００５３】
他の実施形態において、コンポーネント５０４は、ＡＴがＡＰ基地局５０２に関連するかどうかにかかわらず、ＡＰ基地局５０２のフェムト・カバレージエリア内のＡＴの存在を検出又は判定するように構成されても良いことが留意される。
【００５４】
加えて又は代わりに、マクロ・ネットワーク５０８は、サービング・セルの識別情報及び／又は（さもなければマクロ・ネットワーク５０８に関連する）ＡＴによりレポートされる近隣のセルの識別情報に基づいて、ＡＰ基地局セル５０２にウェイクアップ信号を送信するために、ＡＰ基地局５０２と通信しても良い。さらにまた、マクロ・ネットワーク５０８はまた、所定のＡＴのモビリティに関するデータ又は推定を、ＡＰ基地局５０２に送信しても良い。次に、ＡＰ基地局５０２は、モビリティ・データ又はその推定に基づいて、低電力モードの使用（法）（usage）を修正又は解消（eliminate）しても良い。
【００５５】
上で説明される例示的なシステムを考慮して、開示された主題に従って実装され得る例示的な方法は、図６及び７のフローチャートに関して、より良く認識されるであろう。説明を簡単にするために、本方法は、一連のブロックとして図示され説明されたが、クレームされた主題は、ブロックの順序に制限されるものではなく、幾つかのブロックが、本明細書で図示され説明される順序とは異なる順序で及び／又は本明細書で図示され説明されるブロックとは異なるブロックと並行して、起こっても良いことは、理解及び認識されるべきである。さらに、説明されるブロックは、すべての可能性があるステップを表すというわけではなく、また、下で説明される方法を実装するためにすべての説明されたブロックが要求されなくても良い。
【００５６】
図６は、ＡＰ基地局において低電力モードを実装するのを容易にする方法６００を説明する。ステップ６０２において、ＡＰ基地局は、通常に（normally）オペレートしているか又は非低電力モードにある。ステップ６０４において、ＡＰ基地局は、１又は複数のＡＴ（例えば、ＡＰ基地局に関連するＡＴ）の存在を判定する。ステップ６０６において、少なくとも１つのＡＴが現在するならば、ＡＰ基地局は、ＡＴのウェイク状態／状態群（例えば、ウェイク状態か又はアイドル状態か）を判定する。ステップ６０８において、すべてのＡＴがアイドル状態ならば（ステップ６０６でＹＥＳ）、又は、ＡＴが存在しなければ（ステップ６０４でＮＯ）、ＡＰ基地局は、低電力モードに入る。ステップ６１０において、ＡＰ基地局は、低電力モードにおいて、それが共通チャネル（例えば、同期、パイロット又は基準信号、ブロードキャスト・チャネルなど）を送信する電力レベルを、時間の関数として変化させても良い。ＡＰ基地局は、電力レベルを、新しいＡＴがその存在を検出すること及び／又はＡＰ基地局に接続することを可能にするのにしばしば十分な公称レベルに維持することを確実としても良い。ＡＰ基地局は、望ましくは、送信機コンポーネント（又はトランシーバ・モジュール）の送信電力及び／又は伝送タイミングを、（ａ）ＡＴのアウェイク期間と（ｂ）公称電力伝送の期間とを関連させる（correlate）又は一致させる（match）ように、調整（adjusts）又は修正しても良い。公称電力レベルは、予め定められていても良く、又は、ＡＰ基地局により変化／調整（例えば、リアルタイムに判定）されても良い。
【００５７】
図７は、ＡＰ基地局で低電力モードを実装するのを容易にする方法７００の態様を説明する。ステップ７０２において、１又は複数のＡＴは、サービング・セル及び／又は隣接するセルの識別情報をマクロ・ネットワークにレポートする。ステップ７０４において、マクロ・ネットワークは、ＡＴレポートに少なくとも部分的に基づいて、ウェイクアップ信号又はその種の他のものをＡＰ基地局（一般的にＡＴに関連するＡＰ基地局）に送信しても良い。加えて又は代わりに、マクロ・ネットワークは、ＡＴのモビリティを推定し、そして、モビリティ推定に少なくとも部分的に基づいて、ウェイクアップ信号をＡＰ基地局に送信しても良い。ステップ７０６において、ＡＰ基地局は、マクロ・ネットワークからウェイクアップ信号を受信しても良く、そして、受信されたウェイクアップ信号に少なくとも部分的に基づいて、低電力モードのその使用（法）を修正又は解消（eliminate）しても良い。
【００５８】
本明細書で説明される実施形態の１又は複数の態様に従って、図８Ａは、下で説明されるステップ８１０〜８７４を伴っても（involve）良い、ＡＰ基地局における低電力モードの配備を容易にするための例示的な方法８００を示す。ステップ８１０において、方法８００は、少なくとも一つの定義されたカバレージエリア内にアクセス端末（ＡＴ）が存在するかどうかについて判定することを伴っても良い。前記少なくとも一つのカバレージエリア内にＡＴが存在しないことに応答して、前記低電力モードに入っても良い（ステップ８２０）。方法８００は、前記低電力モードである場合に、前記ＡＰ基地局が少なくとも一つの共通チャネルを送信する送信電力を、時間の関数として変化させることを伴っても良い（ステップ８３０）。
【００５９】
図８Ｂを参照して、ステップ８１０は、前記ＡＰ基地局のフェムト・カバレージエリア内に少なくとも一つのＡＴが存在するかどうか判定することを伴っても良い（ステップ８４０）。ステップ８３０は、同期チャネル、パイロット信号及びブロードキャスト・チャネルのうちの少なくとも一つの前記送信電力を変化させることを伴っても良い（ステップ８４２）。他のアプローチにおいて、ステップ８１０は、マクロ・ネットワークにより判定された少なくとも一つのＡＴに関するモビリティ・データを受信することを伴っても良い（ステップ８５０）。
【００６０】
関係する態様において、ステップ８１０は、マクロ・ネットワークのマクロ基地局のマクロ・カバレージエリア内に少なくとも一つのＡＴが存在するかどうかに関する情報を受信することを伴っても良い（ステップ８６０）。ステップ８６２において、方法８００は、前記マクロ・ネットワークから送信されたウェイクアップ信号を受信することを伴っても良い。ステップ８６２は、前記少なくとも一つのＡＴによりレポートされるサービング・セル及び隣接セルのうちの少なくとも一つの識別情報に少なくとも部分的に基づいて前記ウェイクアップ信号を受信することを伴っても良い（ステップ８６４）。代わりに又は加えて、ステップ８６２は、前記マクロ・ネットワークにより判定された前記少なくとも一つのＡＴに関するモビリティ・データに少なくとも部分的に基づいて前記ウェイクアップ信号を受信することを伴っても良い（ステップ８６６）。
【００６１】
図８Ｃを参照して、ステップ８７０において、方法８００は、前記ウェイクアップ信号の受信に応答して前記低電力モードでオペレートするのを中止することを更に伴っても良い。ウェイクアップ信号を受信することに応じて、送信電力が修正されても良い（ステップ８７２）。ステップ８８２は、送信電力を増加させることを伴っても良い（ステップ８７４）。
【００６２】
更に関係する態様において、前記少なくとも一つのカバレージエリア内に少なくとも一つのＡＴが存在することに応答して、前記少なくとも一つのＡＴの各々がアイドル状態にあるかどうか判定することを伴っても良い（ステップ８８０）。方法８００は、前記少なくとも一つのＡＴの各々がアイドル状態にあることに応答して、第２の低電力モードに入ることを伴っても良い（ステップ８８２）。ステップ８８４において、方法８００は、前記少なくとも一つのＡＴのうちの所定の一つがアウェイク状態にあることに応答して、通常モードでオペレートすることを伴っても良い。更に他の関係する態様において、ステップ８１０は、マクロ・ネットワークの複数のマクロ基地局からの少なくとも一つのＡＴに関する情報をアグリゲートすることを伴っても良い（サブステップ８９０）。
【００６３】
本明細書で説明される実施形態の１又は複数の態様に従って、図９Ａは、ＡＰ基地局における低電力モードの配備を容易にする方法の他の実施形態を示す。図９Ａを参照して、下で説明しるステップ９１０〜９５０を伴っても良い、ＡＰ基地局における低電力モードの配備を容易にする例示的な方法９００が提供される。ステップ９１０において、方法９００は、少なくとも一つの定義されたカバレージエリア中の少なくとも一つのアクセス端末（ＡＴ）の各々が、アイドル状態にあるかどうか判定することを伴っても良い。前記少なくとも一つのＡＴの各々がアイドル状態にあることに応答して、前記低電力モードに入っても良い（ステップ９２０）。前記低電力モードである場合に、方法９００は、前記ＡＰ基地局が少なくとも一つの共通チャネルを送信する送信電力を、時間の関数として変化させることを伴っても良い（ステップ９３０）。
【００６４】
図９Ｂを参照して、方法９００は、前記少なくとも一つのＡＴのうちの所定の一つがアウェイク状態にあることに応答して、通常モードでオペレートすることを更に伴っても良い（ステップ９４０）。ステップ９３０は、同期チャネル、パイロット信号及びブロードキャスト・チャネルのうちの少なくとも一つの前記送信電力を変化させることを伴っても良い（ステップ９５０）。
【００６５】
本明細書で説明された実施形態の１又は複数の態様に従って、図１０Ａは、ＡＰ基地局として又はＡＰ基地局内で使用するためのプロセッサ又は類似するデバイスとして構成されても良い例示的なデバイス／装置１０００を示す。
【００６６】
図示されるように、装置１０００は、少なくとも一つの定義されたカバレージエリア内にＡＴが存在するかどうか判定するための手段１０２０を含んでも良い。装置１０００は、前記少なくとも一つのカバレージエリア内にＡＴが存在しないことに応答して、前記低電力モードに入るための手段１０３０を含んでも良い。装置１０００はまた、前記低電力モードである場合に、前記装置が少なくとも一つの共通チャネルを送信する送信電力を、時間の関数として変化させるための手段１０４０を含んでも良い。少なくとも１つの共通のチャネルは、同期チャネル、パイロット信号及びブロードキャスト・チャネルのうちの少なくとも一つを含んでも良い。
【００６７】
一つの実施形態において、前記少なくとも一つのカバレージエリアは、ＡＰ基地局のフェムト・カバレージエリアを含んでも良い。他の実施形態において、前記少なくとも一つのカバレージエリアは、前記マクロ・ネットワークのマクロ基地局のマクロ・カバレージエリアを含んでも良い。図１０Ｂを参照して、装置１０００は、前記マクロ・ネットワークから送信されたウェイクアップ信号を受信するための手段１０５０を含んでも良い。装置１０００は、前記少なくとも一つのＡＴによりレポートされるサービング・セル及び隣接セルのうちの少なくとも一つの識別情報に少なくとも部分的に基づいてウェイクアップ信号を受信するための手段１０５２を含んでも良い。装置１０００は、前記マクロ・ネットワークにより判定された前記少なくとも一つのＡＴに関するモビリティ・データに少なくとも部分的に基づいてウェイクアップ信号を受信するための手段１０５４を含んでも良い。
【００６８】
関係する態様において、装置１０００は、前記ウェイクアップ信号の受信に応答して前記低電力モードでオペレートするのを中止することための手段１０６０を含んでも良い。装置１０００は、前記ウェイクアップ信号の受信に応答して前記送信電力を修正する（例えば、増加させる）ための手段を含んでも良い。
【００６９】
図１０Ｃを参照して、装置１０００は、前記少なくとも一つのプロセッサは、前記少なくとも一つのカバレージエリア内に前記少なくとも一つのＡＴが存在することに応じて、前記少なくとも一つのＡＴの各々がアイドル状態にあるかどうか判定するための手段１０７０と、前記少なくとも一つのＡＴの各々が前記アイドル状態にあることに応答して、装置１０００を第２の低電力モードに設定するための手段１０７２とを含んでも良い。装置１０００は、前記少なくとも一つのＡＴのうちの所定の一つがアウェイク状態にあることに応答して、該装置１０００を通常モードに設定するための手段１０７４を含んでも良い。
【００７０】
関係する態様において、装置１０００は、マクロ・ネットワークにより判定される前記少なくとも一つのＡＴに関するモビリティ・データを受信するための手段１０８０を含んでも良い。装置１０００は、マクロ・ネットワークの複数のマクロ基地局からの前記少なくとも１つのＡＴに関する情報をアグリゲートするための手段１０９０を含んでも良い。
【００７１】
装置１０００は、プロセッサとしてよりもむしろＡＰ基地局として構成される装置１０００の場合において、少なくとも一つのプロセッサを有するプロセッサ・モジュール１００８を任意に含んでも良いことに留意される。そのような場合において、プロセッサ１００８は、バス１００２又は類似する通信接続（communication coupling）を介して、手段１０２０〜１０９０及びそれらのコンポーネントと有効に通信しても良い。プロセッサ１００８は、手段１０２０〜１０９０及びそれらのコンポーネントにより実行されるプロセス又は機能の開始又はスケジュールを行っても良い。
【００７２】
関係する態様において、装置１０００は、マクロ・ネットワークとの有効な通信におけるバックホールのためのバックホール・インタフェース１００４を含んでも良い。装置１０００は、（ａ）ＡＴ、（ｂ）バックホールを介したマクロ・ネットワーク、及び、（ｃ）マクロ・ネットワークと有効に通信する基地局（例えば、マクロ基地局又は近隣のＡＰ基地局）のうちの少なくとも一つと通信するためのトランシーバ・モジュール１００６を含んでも良い。スタンドアローンの送信機及び／又はスタンドアローンの受信機は、トランシーバ１００６の代わりに又はそれとともに使用されても良い。
【００７３】
更に関係する態様に、装置１０００は、情報を記憶するための手段（例えばメモリ・デバイス／モジュール）１０１０を任意に含んでも良い。コンピュータ読み取り可能な媒体又はメモリ・デバイス／モジュール１０１０は、バス１００２又はその種の他のものを介して装置１０００の他のコンポーネントに有効に接続されても良い。コンピュータ読み取り可能な媒体又はメモリ・デバイス１０１０は、手段１０２０〜１０９０及びそれらのコンポーネント又は（ＡＰ基地局として構成される装置１０００の場合における）プロセッサ１００８又は本明細書で開示される方法のプロセス及び動作（behavior）を達成（effecting）するためのコンピュータ読み取り可能なインストラクション及びデータを記憶するように構成されても良い。
【００７４】
更に他の関係する態様において、メモリ・モジュール１０１０は、プロセッサ・モジュール１００８が、（ａ）少なくとも一つの定義されたカバレージエリア内にＡＴが存在するかどうか判定するための、（ｂ）前記少なくとも一つのカバレージエリア内にＡＴが存在しないことに応答して、装置１０００を低電力モードに設定するための、及び、（ｃ）装置１０００が前記低電力モードにあるとき、前記トランシーバ・モジュール１００６が少なくとも一つの共通のチャネル（例えば、同期チャネル、パイロット信号及びブロードキャスト・チャネルのうちの少なくとも一つ）を送信する送信電力を時間の関数として変化させるように前記トランシーバ・モジュールに指示するための実行可能なコードを任意に含んでも良い。１又は複数のステップ（ａ）〜（ｃ）は、上で説明された手段１０２０〜１０９０の代わりに又はそれとともにプロセッサ・モジュール１００８により実行されても良い。
【００７５】
本明細書で説明される実施形態の１又は複数の態様に従って、図１１は、ＡＰ基地局による低電力モードの配備を容易にするデバイス／装置の他の実施形態を示す。図１１を参照して、装置１１００は、ＡＰ基地局として又はＡＰ基地局内で使用するためのプロセッサ若しくは類似するデバイスとして、構成されても良い。
【００７６】
図示されるように、装置１１００は、少なくとも一つの定義されたカバレージエリア中の少なくとも一つのＡＴの各々がアイドル状態であるかどうか判定するための手段１１２０を含んでも良い。装置１１００は、前記少なくとも一つのＡＴの各々がアイドル状態にあることに応答して、装置１１００を第２の低電力モードに設定するための手段１１３０を含んでも良い。装置１１００はまた、トランシーバ・モジュールが少なくとも１つの共通チャネルを送信する送信電力を時間の関数として変化させるための手段１１４０を含んでも良い。装置１１００は、前記少なくとも一つのＡＴのうちの所定の一つがアウェイク状態にあることに応答して、該装置１１００を通常モードに設定するための手段１１５０を更に含んでも良い。少なくとも一つの共通チャネルは、同期チャネル、パイロット信号及びブロードキャスト・チャネルのうちの少なくとも一つを含んでも良いことに留意される。
【００７７】
装置１１００は、プロセッサとしてよりもむしろＡＰ基地局として構成される装置１１００の場合において、少なくとも一つのプロセッサを有するプロセッサ・モジュール１１０８を任意に含んでも良いことに留意される。そのような場合において、プロセッサ１１０８は、バス１１０２又は類似する通信接続を介して、手段１１２０〜１１５０及びそれらのコンポーネントと有効に通信しても良い。プロセッサ１１０８は、手段１１２０〜１１５０及びそれらのコンポーネントにより実行されるプロセス又は機能の開始及びスケジュールを行っても良い。
【００７８】
関係する態様において、装置１１００は、マクロ・ネットワークとの有効な通信におけるバックホールのためのバックホール・インタフェース１１０４を含んでも良い。装置１１００は、（ａ）ＡＴ、（ｂ）バックホールを介したマクロ・ネットワーク、及び、（ｃ）マクロ・ネットワークと有効に通信する基地局（例えば、マクロ基地局又は近隣のＡＰ基地局）のうちの少なくとも一つと通信するためのトランシーバ・モジュール１００６を含んでも良い。スタンドアローンの送信機及び／又はスタンドアローンの受信機は、トランシーバ１１０６の代わりに又はそれとともに使用されても良い。
【００７９】
更に関係する態様に、装置１１００は、情報を記憶するための手段（例えばメモリ・デバイス／モジュール）１１１０を任意に含んでも良い。コンピュータ読み取り可能な媒体又はメモリ・デバイス／モジュール１１１０は、バス１１０２又はその種の他のものを介して装置１１００の他のコンポーネントに有効に接続されても良い。コンピュータ読み取り可能な媒体又はメモリ・デバイス１１１０は、手段１１２０〜１１５０及びそれらのコンポーネント又は（ＡＰ基地局として構成される装置１１００の場合における）プロセッサ１１０８又は本明細書で開示される方法のプロセス及び動作（behavior）を達成するためのコンピュータ読み取り可能なインストラクション及びデータを記憶するように構成されても良い。
【００８０】
更に他の関係する態様において、メモリ・モジュール１１１０は、プロセッサ・モジュール１１０８が、（ａ）少なくとも一つの定義されたカバレージエリアにおける少なくとも一つのＡＴの各々が、アイドル状態であるかどうか判定するための、（ｂ）前記少なくとも一つのＡＴの各々がアイドル状態にあることに応答して、装置１１００を低電力モードに設定するための、及び、（ｃ）装置１１００が前記低電力モードにあるとき、前記トランシーバ・モジュール１１０６が少なくとも一つの共通のチャネルを送信する送信電力を時間の関数として変化させるように前記トランシーバ・モジュールに指示するための実行可能なコードを任意に含んでも良い。１又は複数のステップ（ａ）〜（ｃ）は、上で説明された手段１１２０〜１１５０の代わりに又はそれとともにプロセッサ・モジュール１１０８により実行されても良い。
【００８１】
この出願は本発明の特定の例を説明するが、当業者は、本発明の概念を逸脱しない範囲で本発明の変形を工夫することができる。例えば、本明細書における教示は、回路交換網のエレメント（circuit-switched network elements）に言及するが、パケット交換ドメイン・ネットワークのエレメント（packet-switched domain network elements）に等しく適用できる。“例示的な（exemplary）”という語は、“例（example）、インスタンス（instance）又はイラストレーション（illustration）として役に立つこと”を意味するために本明細書で用いられることに留意される。“例示的な（exemplary）”として本明細書で説明される実施形態は、必ずしも他の実施形態以上に好ましい又は有利であると解釈されない。
【００８２】
本明細書で説明される１又は複数の態様に従って、説明されたような複数の周囲のフェムトセル及び／又はマクロ・セルの通信パラメータを判定することに関して推論がなされることができることは認識されるであろう。本明細書で用いられるように、用語“推論する（infer）”又は“推論（inference）”は、一般に、イベント及び／又はデータを通して捕捉された一連の観測から、システム、環境及び／又はユーザの状態を推論（reasoning about）又は推論（inferring）するプロセスを指す。例えば、推論は、特定の状況（context）又はアクションを特定するために用いることができ、また、状態上の確率分布（probability distribution over states）を生成することができる。推論は、確率的であっても良い、すなわち、データ及びイベントの考慮に基づく、対象の状態上の確率分布の計算であっても良い。また、推論は、一連のイベント及び／又はデータから、よりハイレベルなイベントを構成するために用いられる技術を指すことができる。そのような推論は、一連の観測されたイベント及び／又は記憶されたイベントデータからの新たなイベント又はアクションの構築を、該イベントが緊密な時間的近接性と相関性があるかどうかにかかわらず且つ該イベント及びデータが一つ又は幾つかのイベント及びデータソースに由来しているかどうかにかかわらず、もたらす。
【００８３】
この文書及びその変形において使用される用語及びフレーズは、明記されない限り、制限することとは全く異なって制限のない（open ended）ものとして解釈されるべきである。前述の例として：“含む（including）”という用語は、「含むが、これに限定されるものではない（including, without limitation）」ことなど意味するものとして解釈（read）されるべきである;用語“例（example）”は、説明（discussion）における事項（item）の例示的なインスタンスを提供するために使用される（それらの包括的な又は制限的なリストでない）;用語“一つの（a）”又は“一つの（an）”は、“少なくとも一つの（at least one）”、“１又は複数、一つ以上（one or more）」などを意味するものとして解釈されるべきである;そして、例えば“従来の（conventional）”、“伝統的な（traditional）”、“通常の（normal）”、“標準的な（standard）”、“既知の（known）”のような形容詞及び類似する意味の用語は、説明される事項を、所定の期間（time period）に制限するものとして、又は、所定の時点で利用できる事項に制限するものとして、解釈されるべくではなく、むしろ、現在又は将来の任意の時点で利用可能である又は知られている従来の、伝統的な、通常の又は標準的な技術を含むように解釈されるべきである。同様に、この文書が、当業者に明らか又は知られているであろう技術を指し示す場合には、そのような技術は、現在又は将来の任意の時点で当業者に明らか又は知られている技術を含む。
【００８４】
接続詞（conjunction）“及び（and）”で連結される複数の事項からなるグループは、それら事項の各々及びあらゆる一つが、そのグループに存在することを要求するものとして解釈されるべきでなく、むしろ、明記されない限り、“及び／又は（and/or）”として解釈されるべきである。同様に、接続詞“又は（or）”で連結される複数の事項からなるグループは、そのグループの間の相互の排他性を要求するものとして解釈されるべきでなく、むしろ、明記されない限り、“及び／又は（and/or）”として解釈されるべきである。さらに、発明のアイテム、エレメント又はコンポーネントが、単数で説明又はクレームされるかもしれないが、単数への制限が明記されていない限り、複数がその範囲の中にあることが予期される。
【００８５】
例えば“１又は複数、一つ以上（one or more）”、“少なくとも（at least）”、“しかし制限されるものではない（but not limited to）”又は幾つかのインスタンスにおける他の類似するフレーズのような、広がっている語句又はフレーズの存在は、そのような広がっているフレーズがない場合があるインスタンスにおいてより狭いケースが意図又は要求されていることを意味するように解釈されるべきではない。
【００８６】
さらに、本明細書で説明される様々な実施形態が、例示的なブロック図、フローチャート及び他の説明図に関して説明される。この文書を読んだ後に当業者にとって明らかになるように、説明された実施形態及びそれらの様々な代替手段（alternatives）は、説明された例に制限されることなく、実装されることができる。例えば、ブロック図及びそれらに伴う説明は、特定のアーキテクチャー又は構成を命令（mandating）するものとして解釈されるべきではない。
【００８７】
この出願において用いられる用語“コンポーネント（component）”、“モジュール（module）”、“システム（system）”及び同類のものは、コンピュータ関連のエンティティーである、ハードウェア、ファームウェア、ハードウェアとソフトウェアの組み合わせ、ソフトウェア又は実行中のソフトウェアのいずれをも指すことを意図されている。例えば、コンポーネントは、プロセッサ上で動作するプロセス、プロセッサ、オブジェクト、実行ファイル（executable）、実行のスレッド、プログラム、及び／又は、コンピュータであっても良い（ただし、これらに制限されるものではない）。例として、コンピュータデバイス上で動作するアプリケーションと、そのコンピュータデバイスの両方とも、コンポーネントであり得る。１又は複数のコンポーネントがプロセス及び／又は実行のスレッドの内部に存在することができ、また、一つのコンポーネントが一つのコンピュータに局在し及び／又は２以上のコンピュータ間に分散されることができる。加えて、これらコンポーネントは、様々なデータ構造を記録した様々なコンピュータ読み取り可能な媒体から実行することができる。それらコンポーネントは、例えば、１又は複数のデータパケット（例えば、その信号を経由して、ローカルシステムにおいて、分散システムにおいて及び／又は例えば他のシステムをともなうインターネットのようなネットワークを横切って、他のコンポーネントとインターラクトする、一つのコンポーネントからのデータ）を持つ信号に従うような、ローカルプロセス及び／又はリモートプロセスを経由して、通信することができる。
【００８８】
本明細書で開示されたプロセスにおけるステップの特定の順序又は階層（hierarchy）は、例示的なアプローチの例におけるものであることは理解される。デザイン選択（design preferences）に基づいて、プロセスにおけるステップの特定の順序又は階層は、本開示の範囲内のままで、リアレンジされても良いことは理解される。添付の方法クレームは、例示的な順序における様々なステップのエレメントを提示するものであり、提示される特定の順序又は階層に制限されるべきでないことが意味される。
【００８９】
情報及び信号は、いろいろな異なるテクノロジー及びテクニックの任意のものを用いて表現可能であることを、当業者は理解できるであろう。例えば、上記説明の間に参照される、データ、インストラクション、コマンド、情報、信号、ビット、シンボル、及び、チップは、電圧、電流、電磁波、磁場若しくは磁性粒子（magnetic fields or particles）、光場若しくは光学粒子（optical fields or particles）、又はそれらの任意の組み合わせにより表現可能である。
【００９０】
本明細書で開示される態様に関連して説明される様々な実例となる論理ブロック、モジュール、回路、方法及びアルゴリズムは、電子ハードウェア、コンピュータ・ソフトウェア、又は、両方の組み合せとして実装されても良いことは、当業者は更に認識するであろう。このハードウェア及びソフトウェアの互換性をめいりょうに説明するために、各種の説明的なコンポーネント、ブロック、モジュール、回路、方法及びアルゴリズムが、一般に、それらの機能性の観点で、前述された。当該の機能性は、システム全体に課される特定のアプリケーション及びデザインの制約に応じて、ハードウェア又はソフトウェアとして実装される。当業者は、説明された機能性を、各々のアプリケーションのためのさまざまな方法で実装しても良いが、当該の実装の決定は、本発明の範囲からの逸脱をもたらすものとして説明されるべきではない。
【００９１】
さらにまた、様々な実施形態がモバイル・デバイスに関連して本明細書で説明される。また、モバイル・デバイスは、システム、加入者ユニット、加入者設備、移動ル局、モバイル、リモート局、リモート端末、アクセス端末（ＡＴ）、ユーザ端末、端末、無線通信デバイス、ユーザエージェント、ユーザデバイス、又はユーザ装置（UE）と呼ばれることができる。モバイル・デバイスは、携帯電話、コードレス電話、セッション開始プロトコル（ＳＩＰ）電話、ワイヤレスローカルループ（ＷＬＬ）局、携帯情報端末（ＰＤＡ）、無線接続能力を持つ携帯用デバイス、コンピュータデバイス、又は無線モデムに接続される他の処理デバイスであっても良い。さらに、様々な実施形態が基地局に関連して本明細書で説明される。基地局は、（１又は複数の）モバイル・デバイスと通信するために利用されることができ、また、（１又は複数の)アクセスポイント、Ｎｏｄｅ Ｂ、Evolved Node B （ｅＮｏｄｅ Ｂ又はｅＮＢ）、無線基地局（base transceiver station）（ＢＴＳ）又は何らかの他の用語で呼ばれることができる。
【００９２】
さらに、本明細書で説明される様々な態様又は特徴は、標準的なプログラミング及び／又はエンジニアリング技術を使用する方法、装置又は製品として実装されることができる。本明細書で使用される用語“製品（article of manufacture）”は、任意のコンピュータ読み取り可能なデバイス、キャリア又は媒体からアクセスできるコンピュータ・プログラムを包含することを意図されている。例えば、コンピュータ読み取り可能な媒体は、磁気記憶装置（例えば、ハード・ディスク、フロッピー（登録商標）ディスク、磁気ストリップ、その他）、光ディスク（例えば、コンパクトディスク（ＣＤ）、デジタル・バーサタイル・ディスク（ＤＶＤ）、その他）、スマートカード、及び、フラッシュメモリ・デバイス（例えば、消去可能プログラマブルリードオンリーメモリ（ＥＰＲＯＭ）、カード、スティック、キー・ドライブ、その他）を含むことができる（ただし、それらに制限されない）。さらに、本明細書で説明される様々な記憶媒体は、情報を格納するための１又は複数のデバイス及び／又は他の機械読み取り可能な媒体を表すことができる。“機械読み取り可能な媒体（machine-readable medium）”という用語は、無線チャネル、及び、（１又は複数の）インストラクション及び／又はデータを格納（storing,）、含有（containing）及び／又は搬送（carrying）することができる様々な他の媒体を含むことができる（ただし、それらに制限されない）。
【００９３】
本明細書で説明される技術は、例えば符号分割多元接続（ＣＤＭＡ）、マルチキャリアＣＤＭＡ（ＭＣ−ＣＤＭＡ）、ワイドバンドＣＤＭＡ（Ｗ−ＣＤＭＡ）、高速パケット・アクセス（ＨＳＰＡ、ＨＳＰＡ＋）、時分割多元接続（ＴＤＭＡ）、周波数分割多元接続（ＦＤＭＡ）、直交周波数分割多元接続（ＯＦＤＭＡ）、シングルキャリア周波数領域多重化（ＳＣ−ＦＤＭＡ）及び他の多元接続システム／技術のような様々な無線通信システムのために使用されても良い。用語“システム”及び“ネットワーク”はでしばしば互換的に使用される。ＣＤＭＡシステムは、例えばユニバーサル地上無線アクセス（ＵＴＲＡ）、ＣＤＭＡ２０００などのような無線技術を実装することができる。ＵＴＲＡは、Ｗ−ＣＤＭＡ及び／又はＣＤＭＡの他の変形を含んでも良い。ＣＤＭＡ２０００は、ＩＳ−２０００、ＩＳ−９５及びＩＳ−８５６標準をカバーする。ＴＤＭＡシステムは、例えばグローバル移動体通信システム（ＧＳＭ（登録商標））のような無線技術を実装することができる。ＯＦＤＭＡシステムは、例えば発展型ＵＴＲＡ（Evolved UTRA）（Ｅ−ＵＴＲＡ）、ウルトラ・モバイル・ブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、Ｆｌａｓｈ−ＯＦＤＭ（登録商標）などのような無線技術を実装することができる。ＵＴＲＡ及びＥＵＴＲＡは、ユニバーサル移動通信システム（ＵＭＴＳ）の一部である。３ＧＰＰロングタームエボリューション（ＬＴＥ）は、Ｅ−ＵＴＲＡを使用するＵＭＴＳの来るリリースであり、それは、ダウンリンク上でＯＦＤＭＡを使用し、アップリンク上でＳＣ−ＦＤＭＡを使用する。ＵＴＲＡ、Ｅ−ＵＴＲＡ、ＵＭＴＳ、ＬＴＥ及びＧＳＭは、“第３世代パートナーシッププロジェクト”（３ＧＰＰ）と言う名前の団体からのドキュメントに記載されている。ＣＤＭＡ２０００及びＵＭＢは、“第３世代パートナーシッププロジェクト２”（３ＧＰＰ２）という名前の団体からのドキュメントに記載されている。本明細書で説明される無線通信システムが、１又は複数の標準（例えば、ＩＳ−９５、ＣＤＭＡ２０００、ＩＳ−８５６、Ｗ−ＣＤＭＡ、ＴＤ−ＳＣＤＭＡなど）を実装し得ることが留意される。
【００９４】
本明細書で開示される例に関連して説明される様々な例示的な論理ブロック、モジュール及び回路は、汎用プロセッサ、デジタルシグナルプロセッサ（ＤＳＰ）、特定用途向け集積回路（ＡＳＩＣ）、フィールド・プログラマブル・ゲート・アレイ（ＦＰＧＡ）又は他のプログラマブル・ロジック・デバイス、個別ゲート又はトランジスタロジック、個別のハードウェアコンポーネント、又は本明細書で説明された機能を実行するようにデザインされたそれらの任意の組み合せで実装又は実行されても良い。汎用プロセッサは、マイクロプロセッサであっても良いが、代わりに、プロセッサは、任意の従来のプロセッサ、コントローラ、マイクロコントローラ、又はステートマシンであっても良い。プロセッサはまた、コンピュータデバイスの組み合わせ、例えば、ＤＳＰとマイクロプロセッサとの組合せ、複数のマイクロプロセッサ、ＤＳＰコアと連結する１つ又は複数のマイクロプロセッサ、又は、他のそのような構成、として実装されても良い。
【００９５】
本明細書で開示された例に関連して説明された方法又はアルゴリズムは、直接、ハードウェアにより具体化されても良いし、プロセッサにより実行されるソフトウェア・モジュールにより具体化されても良いし、又は、それら二つの組合せにより具体化されても良い。ソフトウェア・モジュールは、ランダムアクセスメモリ（ＲＡＭ）、フラッシュメモリ、リードオンリーメモリ（ＲＯＭ）、ＥＰＲＯＭ、電気的消去可能ＰＲＯＭ（ＥＥＰＲＯＭ）、レジスタ、ハード・ディスク、リムーバブルディスク、ＣＤ−ＲＯＭ又は技術的に知られている任意の他のフォームの記憶媒体に存在しても良い。記憶媒体は、プロセッサがその記憶媒体から情報を読み込み、また、それへ情報を書き込むことができるように、そのプロセッサに接続されても良い。代わりに、記憶媒体は、プロセッサに一体化されていても良い。プロセッサ及び記憶媒体は、ＡＳＩＣにおいて存在しても良い。
【００９６】
１又は複数の例示的な実施形態において、機能は、ハードウェア、ソフトウェア、ファームウェア又はそれらの任意の組み合せにおいて実装されるても良い。ソフトウェアで実装される場合には、該機能は、１又は複数のインストラクション又はコードとして、コンピュータ読み取り可能な媒体に格納され又はコンピュータ読み取り可能な媒体を通して伝えられても良い。コンピュータ読み取り可能な媒体（computer-readable media）は、コンピュータ記憶媒体（computer storage media）及び通信媒体（communication media）の両方を含み、或る場所から他の場所へのコンピュータ・プログラムの転送を容易にする任意の媒体を含む。記憶媒体は、コンピュータによってアクセスできる任意の利用可能な媒体であっても良い。制限としてではなく例として、そのようなコンピュータ読み取り可能な媒体は、ＲＡＭ、ＲＯＭ、ＥＥＰＲＯＭ、ＣＤ−ＲＯＭ又は他の光ディスク記憶装置、磁気ディスク記憶装置又は他の磁気記憶装置、又は、又は、インストラクション又はデータ構造の形で所望のプログラム・コードを搬送又は記憶するために使用されることができ且つコンピュータによりアクセスされることができる任意の他の媒体を含むことができるまた、任意のコネクションは、適切にコンピュータ読み取り可能な媒体と呼ばれる。例えば、同軸ケーブル、光ファイバーケーブル、ツイストペア、デジタル加入者線（ＤＳＬ）、又は、例えば赤外線、無線及びマイクロ波のような無線技術を使用することによって、ウェブサイト、サーバ、又は他のリモートソースからソフトウェアが送信される場合に、その同軸ケーブル、光ファイバーケーブル、ツイストペア、ＤＳＬ、又は、例えば赤外線、無線及びはマイクロ波のような無線技術は、媒体の定義に含まれる。本明細書で用いられるディスク（Disk）及びディスク（disc）は、コンパクトディスク（ＣＤ）、レーザーディスク（登録商標）、光ディスク、デジタル・バーサタイル・ディスク（ＤＶＤ）、フロッピー・ディスク及びブルーレイディスク（登録商標）を含む。ここで、ディスク（disks）は、通常、磁気的にデータを再生（reproduce）し、一方、ディスク（discs）は、レーザーを使って光学的にデータを再生する。上記の組み合わせはまた、コン
ピュータ読み取り可能な媒体の範囲の中に含まれるべきである。
【００９７】
開示された例の前の説明は、当業者が本発明を製造又は使用できるようにするために提供される。これらの例への種々の変形は、当業者には容易に明白になるであろう。また、本明細書で定義された一般的な原理は、本発明の精神又は範囲から逸脱することなく、他の例に適用されても良い。それゆえ、本発明は、本明細書で示された例に限定されることが意図されているのではなく、本明細書に開示された原理及び新規な特徴に合致する最も広い範囲を与えられることが意図されている。 
以下に、本願出願の当初の特許請求の範囲に記載された各請求項に対応する発明を付記する。 
［１］アクセスポイント（ＡＰ）基地局における低電力モードの配備を容易にするための方法において、 
少なくとも一つの定義されたカバレージエリア内にアクセス端末（ＡＴ）が存在するかどうか判定することと、 
前記少なくとも一つのカバレージエリア内にＡＴが存在しないことに応答して、前記低電力モードに入ることと、 
前記低電力モードである場合に、前記ＡＰ基地局が少なくとも一つの共通チャネルを送信する送信電力を、時間の関数として変化させることを含む方法。 
［２］前記少なくとも一つのカバレージエリア内にＡＴが存在するかどうか判定することは、前記ＡＰ基地局のフェムト・カバレージエリア内に少なくとも一つのＡＴが存在するかどうか判定することを含む請求項１の方法。 
［３］前記送信電力を変化させることは、同期チャネル、パイロット信号及びブロードキャスト・チャネルのうちの少なくとも一つの前記送信電力を変化させることを含む請求項１の方法。 
［４］前記少なくとも一つのカバレージエリア内にＡＴが存在するかどうか判定することは、マクロ・ネットワークにより判定された少なくとも一つのＡＴに関するモビリティ・データを受信することを含む請求項１の方法。 
［５］前記少なくとも一つのカバレージエリア内にＡＴが存在するかどうか判定することは、マクロ・ネットワークのマクロ基地局のマクロ・カバレージエリア内に少なくとも一つのＡＴが存在するかどうかに関する情報を受信することを含む請求項１の方法。 
［６］前記少なくとも一つのカバレージエリア内にＡＴが存在するかどうか判定することは、マクロ・ネットワークから送信されたウェイクアップ信号を受信することを含む請求項１の方法。 
［７］前記少なくとも一つのＡＴによりレポートされるサービング・セル及び隣接セルのうちの少なくとも一つの識別情報に少なくとも部分的に基づいて前記ウェイクアップ信号を受信することを更に含む請求項６の方法。 
［８］前記マクロ・ネットワークにより判定された前記少なくとも一つのＡＴに関するモビリティ・データに少なくとも部分的に基づいて前記ウェイクアップ信号を受信することを更に含む請求項６の方法。 
［９］前記ウェイクアップ信号の受信に応答して前記低電力モードでオペレートするのを中止することを更に含む請求項６の方法。 
［１０］前記ウェイクアップ信号の受信に応答して前記送信電力を修正することを更に含む請求項６の方法。 
［１１］前記修正することは、前記送信電力を増加させることを含む請求項１０の方法。 
［１２］前記少なくとも一つのカバレージエリア内に少なくとも一つのＡＴが存在することに応答して、前記少なくとも一つのＡＴの各々がアイドル状態にあるかどうか判定することと、 
前記少なくとも一つのＡＴの各々がアイドル状態にあることに応答して、第２の低電力モードに入ることを更に含む請求項１の方法。 
［１３］前記少なくとも一つのＡＴのうちの所定の一つがアウェイク状態にあることに応答して、通常モードでオペレートすることを更に含む請求項１２の方法。 
［１４］前記少なくとも一つのカバレージエリア内にＡＴが存在するかどうか判定することは、マクロ・ネットワークの複数のマクロ基地局からの少なくとも一つのＡＴに関する情報をアグリゲートすることを含む請求項１の方法。 
［１５］アクセスポイント（ＡＰ）基地局における低電力モードの配備を容易にするための方法において、 
少なくとも一つの定義されたカバレージエリア中の少なくとも一つのアクセス端末（ＡＴ）の各々が、アイドル状態にあるかどうか判定することと、 
前記少なくとも一つのＡＴの各々が前記アイドル状態にあることに応答して、前記低電力モードに入ることと、 
前記低電力モードである場合に、前記ＡＰ基地局が少なくとも一つの共通チャネルを送信する送信電力を、時間の関数として変化させることを含む方法。 
［１６］前記少なくとも一つのＡＴのうちの所定の一つがアウェイク状態にあることに応答して、通常モードでオペレートすることを更に含む請求項１５の方法。 
［１７］前記送信電力を変化させることは、同期チャネル、パイロット信号及びブロードキャスト・チャネルのうちの少なくとも一つの前記送信電力を変化させることを含む請求項１５の方法。 
［１８］無線通信デバイスにおいて、 
マクロ・ネットワークとの有効な通信における通信バックホールのためのバックホール・インタフェースと、 
（ａ）少なくとも一つのアクセス端末（ＡＴ）、（ｂ）前記バックホールを介した前記マクロ・ネットワーク、及び（ｃ）前記マクロ・ネットワークとの有効な通信における少なくとも一つの基地局のうちの少なくとも一つと通信するためのトランシーバ・モジュールと、 
前記バックホール・インタフェース及び前記トランシーバ・モジュールと有効に接続された少なくとも一つのプロセッサと、 
前記少なくとも一つのプロセッサに有効に接続され、前記少なくとも1つのプロセッサが、少なくとも一つの定義されたカバレージエリア内にＡＴが存在するかどうか判定し、前記少なくとも一つのカバレージエリア内にＡＴが存在しないことに応答して、前記デバイスを低電力モードに設定し、そして、前記デバイスが前記低電力モードにあるとき、前記トランシーバ・モジュールが少なくとも一つの共通のチャネルを送信する送信電力を時間の関数として変化させるように前記トランシーバ・モジュールに指示するための実行可能なコードを含むメモリ・モジュールを含む無線通信デバイス。 
［１９］前記少なくとも一つのカバレージエリアは、ＡＰ基地局のフェムト・カバレージエリアを含む請求項１８のデバイス。 
［２０］前記少なくとも一つの共通のチャネルは、同期チャネル、パイロット信号及びブロードキャスト・チャネルのうちのうちの少なくとも一つを含む請求項１８のデバイス。 
［２１］前記少なくとも一つのプロセッサは、前記マクロ・ネットワークにより判定される前記少なくとも一つのＡＴに関するモビリティ・データを受信することによって、前記少なくとも一つのカバレージエリア内にＡＴが存在するかどうかについて判定する請求項１８のデバイス。 
［２２］前記少なくとも一つのカバレージエリアは、前記マクロ・ネットワークのマクロ基地局のマクロ・カバレージエリアを含む請求項１８のデバイス。 
［２３］前記トランシーバ・モジュールは、前記マクロ・ネットワークから送信されるウェイクアップ信号を受信する請求項２２のデバイス。 
［２４］前記ウェイクアップ信号は、前記少なくとも一つのＡＴによりレポートされるサービング・セル及び隣接セルのうちの少なくとも一つの識別情報に少なくとも部分的に基づくものである請求項２３のデバイス。 
［２５］前記ウェイクアップ信号は、前記マクロ・ネットワークにより判定された前記少なくとも一つのＡＴに関するモビリティ・データに少なくとも部分的に基づくものである請求項２３のデバイス。 
［２６］前記デバイスは、前記ウェイクアップ信号の受信に応答して前記低電力モードでオペレートするのを中止する請求項２３のデバイス。 
［２７］前記少なくとも一つのプロセッサは、前記トランシーバ・モジュールに、前記ウェイクアップ信号の受信に応答して前記送信電力を修正するように指示する請求項２３のデバイス。 
［２８］前記トランシーバ・モジュールは、前記送信電力を増加させる請求項２７のデバイス。 
［２９］前記少なくとも一つの基地局は、マクロ基地局及び近隣のＡＰ基地局のうちの少なくとも一つを含む請求項１８のデバイス。 
［３０］前記少なくとも一つのプロセッサは、 
前記少なくとも一つのカバレージエリア内に前記少なくとも一つのＡＴが存在することに応じて、前記少なくとも一つのＡＴの各々がアイドル状態にあるかどうか判定し、そして、 
前記少なくとも一つのＡＴの各々が前記アイドル状態にあることに応答して、前記デバイスを第２の低電力モードに設定する請求項１８のデバイス。 
［３１］前記少なくとも一つのプロセッサは、前記少なくとも一つのＡＴのうちの所定の一つがアウェイク状態にあることに応答して、前記デバイスを通常モードに設定する請求項３０のデバイス。 
［３２］前記少なくとも一つのプロセッサは、前記マクロ・ネットワークの複数のマクロ基地局からの前記少なくとも１つのＡＴに関する情報をアグリゲートすることによって、前記少なくとも一つのカバレージエリア内にＡＴが存在するかどうかについて判定する請求項１８のデバイス。 
［３３］マクロ・ネットワークとの有効な通信における通信バックホールのためのバックホール・インタフェースと、 
（ａ）少なくとも一つのアクセス端末（ＡＴ）、（ｂ）前記バックホールを介した前記マクロ・ネットワーク、及び（ｃ）前記マクロ・ネットワークとの有効な通信における少なくとも一つの基地局のうちの少なくとも一つと通信するためのトランシーバ・モジュールと、 
前記バックホール・インタフェース及び前記トランシーバ・モジュールと有効に接続された少なくとも一つのプロセッサと、 
前記少なくとも一つのプロセッサに有効に接続され、前記少なくとも1つのプロセッサが、少なくとも一つの定義されたカバレージエリアにおける少なくとも一つのＡＴの各々が、アイドル状態であるかどうか判定し、前記少なくとも一つのＡＴの各々がアイドル状態にあることに応答して、前記デバイスを低電力モードに設定し、そして、前記デバイスが前記低電力モードにあるとき、前記トランシーバ・モジュールが少なくとも一つの共通のチャネルを送信する送信電力を時間の関数として変化させるように前記トランシーバ・モジュールに指示するための実行可能なコードを含むメモリ・モジュールを含む無線通信デバイス。 
［３４］前記少なくとも一つのプロセッサは、前記少なくとも一つのＡＴのうちの所定の一つがアウェイク状態にあることに応答して、前記デバイスを通常モードに設定する請求項３３のデバイス。 
［３５］前記少なくとも一つの共通のチャネルは、同期チャネル、パイロット信号及びブロードキャスト・チャネルのうちのうちの少なくとも一つを含む請求項３３のデバイス。 
［３６］少なくとも一つの定義されたカバレージエリア内にアクセス端末（ＡＴ）が存在するかどうか判定するための手段と、 
前記少なくとも一つのカバレージエリア内にＡＴが存在しないことに応答して、前記低電力モードに入るための手段と、 
前記低電力モードである場合に、前記装置が少なくとも一つの共通チャネルを送信する送信電力を、時間の関数として変化させるための手段とを含む無線通信装置。 
［３７］前記少なくとも一つのカバレージエリアは、ＡＰ基地局のフェムト・カバレージエリアを含む請求項３６の装置。 
［３８］前記少なくとも一つの共通のチャネルは、同期チャネル、パイロット信号及びブロードキャスト・チャネルのうちのうちの少なくとも一つを含む請求項３６の装置。 
［３９］少なくとも一つの定義されたカバレージエリア中の少なくとも一つのアクセス端末（ＡＴ）の各々が、アイドル状態にあるかどうか判定するための手段と、 
前記少なくとも一つのＡＴの各々が前記アイドル状態にあることに応答して、前記低電力モードに入るための手段と、 
前記低電力モードである場合に、前記ＡＰ基地局が少なくとも一つの共通チャネルを送信する送信電力を、時間の関数として変化させるための手段とを含む無線通信装置。 
［４０］前記少なくとも一つの共通のチャネルは、同期チャネル、パイロット信号及びブロードキャスト・チャネルのうちのうちの少なくとも一つを含む請求項３９の装置。 
［４１］コンピュータに、少なくとも一つの定義されたカバレージエリア内にアクセス端末（ＡＴ）が存在するかどうか判定させるためのコードと、 
コンピュータに、前記少なくとも一つのカバレージエリア内にＡＴが存在しないことに応答して、アクセスポイント（ＡＰ）基地局を低電力モードに設定させるためのコードと、 
コンピュータに、前記ＡＰ基地局が低電力モードにある場合に、少なくとも一つの共通チャネルが送信される送信電力を、時間の関数として変化させるためのコードとを含むコンピュータ読み取り可能な媒体を含むコンピュータ・プログラム製品。 
［４２］前記少なくとも一つのカバレージエリアは、ＡＰ基地局のフェムト・カバレージエリアを含む請求項４１のコンピュータ・プログラム製品。 
［４３］前記少なくとも一つの共通のチャネルは、同期チャネル、パイロット信号及びブロードキャスト・チャネルのうちのうちの少なくとも一つを含む請求項４１のコンピュータ・プログラム製品。 
［４４］コンピュータに、少なくとも一つの定義されたカバレージエリア中の少なくとも一つのアクセス端末（ＡＴ）の各々が、アイドル状態にあるかどうか判定させるためのコードと、 
コンピュータに、前記少なくとも一つのＡＴの各々が前記アイドル状態にあることに応答して、アクセスポイント（ＡＰ）基地局を低電力モードに設定させるためのコードと、 
コンピュータに、前記ＡＰ基地局が低電力モードにある場合に、少なくとも一つの共通チャネルが送信される送信電力を、時間の関数として変化させるためのコードとを含むコンピュータ読み取り可能な媒体を含むコンピュータ・プログラム製品。 
［４５］前記少なくとも一つの共通のチャネルは、同期チャネル、パイロット信号及びブロードキャスト・チャネルのうちのうちの少なくとも一つを含む請求項４４のコンピュータ・プログラム製品。
【図１】
0005420655.tif 000002
【図２】
0005420655.tif 000003
【図３】
0005420655.tif 000004
【図４】
0005420655.tif 000005
【図５】
0005420655.tif 000006
【図６】
0005420655.tif 000007
【図７】
0005420655.tif 000008
【図８Ａ】
0005420655.tif 000009
【図８Ｂ】
0005420655.tif 000010
【図８Ｃ】
0005420655.tif 000011
【図９Ａ】
0005420655.tif 000012
【図９Ｂ】
0005420655.tif 000013
【図１０Ａ】
0005420655.tif 000014
【図１０Ｂ】
0005420655.tif 000015
【図１０Ｃ】
0005420655.tif 000016
【図１１】
0005420655.tif 000017